(57)【要約】  通信ネットワークに対するワイヤレスデバイスのネットワークアクセスのための機構が提供される。方法はワイヤレスデバイスによって実施される。方法は、通信ネットワークに対して、第１の無線アクセス技術を使用してネットワークアクセスを開始することを備える。方法は、第１の無線アクセス技術とは異なる少なくとも第２の無線アクセス技術を使用して通信ネットワーク中のネットワークノードからネットワークアクセスに対する少なくとも応答を受信するために準備することを備える。【選択図】図４
2019505139.tif 000002
【特許請求の範囲】
【請求項１】
通信ネットワーク（１００ａ、１００ｂ）に対するワイヤレスデバイス（１５０）のネットワークアクセスのための方法であって、前記方法が前記ワイヤレスデバイス（１５０）によって実施され、前記方法が、
前記通信ネットワーク（１００ａ、１００ｂ）に対して、第１の無線アクセス技術（ＲＡＴ−１）を使用してネットワークアクセスを開始すること（Ｓ１０２）と、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスに対する少なくとも応答を受信するために準備すること（Ｓ１０４）と
を備える、方法。
【請求項２】
前記第２の無線アクセス技術（ＲＡＴ−２）を使用して前記ネットワークノード（１４０ｂ）から前記ネットワークアクセスに対する前記応答を受信すること（Ｓ１０６）
をさらに備える、請求項１に記載の方法。
【請求項３】
前記第１の無線アクセス技術（ＲＡＴ−１）を使用して前記通信ネットワーク（１００ａ、１００ｂ）中のネットワークノード（１４０ａ）から前記ネットワークアクセスに対する前記応答を受信すること（Ｓ１０８）
をさらに備える、請求項１に記載の方法。
【請求項４】
前記第１の無線アクセス技術（ＲＡＴ−１）と前記第２の無線アクセス技術（ＲＡＴ−２）の両方を使用して前記ネットワークアクセスを継続すること（Ｓ１１０）
をさらに備える、請求項２又は３に記載の方法。
【請求項５】
前記第１の無線アクセス技術（ＲＡＴ−１）および前記第２の無線アクセス技術（ＲＡＴ−２）のうちの一方のみを使用して前記ネットワークアクセスを継続すること（Ｓ１１２）
をさらに備える、請求項２又は３に記載の方法。
【請求項６】
前記第１の無線アクセス技術（ＲＡＴ−１）および前記第２の無線アクセス技術（ＲＡＴ−２）のうちのどちらと前記ネットワークアクセスを継続すべきかが、前記応答が受信される順序、前記無線アクセス技術の相互優先度、および前記受信された応答中の受信信号品質のうちの少なくとも１つに基づく、請求項５に記載の方法。
【請求項７】
前記第１の無線アクセス技術（ＲＡＴ−１）および前記第２の無線アクセス技術（ＲＡＴ−２）のうちの一方から前記第１の無線アクセス技術（ＲＡＴ−１）および前記第２の無線アクセス技術（ＲＡＴ−２）のうちの他方に前記ネットワークアクセスを切り替えること（Ｓ１１４）
をさらに備える、請求項６に記載の方法。
【請求項８】
前記ネットワークノード（１４０ｂ）に、および前記第２の無線アクセス技術（ＲＡＴ−２）を使用して、ユーザデータまたは制御シグナリングを送信することによって前記応答に対して応答すること（Ｓ１１６）
をさらに備える、請求項２に記載の方法。
【請求項９】
通信ネットワーク（１００ａ、１００ｂ）に対するワイヤレスデバイス（１５０）のネットワークアクセスのための方法であって、前記方法が、第１の無線アクセス技術（ＲＡＴ−１）を使用するネットワークノード（１４０ａ）によって実施され、前記方法は、
前記第１の無線アクセス技術（ＲＡＴ−１）を使用してワイヤレスデバイス（１５０）からの前記通信ネットワーク（１００ａ、１００ｂ）に対するネットワークアクセスのための開始を受信すること（Ｓ２０２）と、
ネットワークアクセスのための前記開始を別のネットワークノード（１４０ｂ）に転送すること（Ｓ２０４）であって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送すること（Ｓ２０４）と
を備える、方法。
【請求項１０】
ネットワークアクセスのための前記開始がネットワークノード外部インターフェース上で転送される、請求項９に記載の方法。
【請求項１１】
ネットワークアクセスのための前記開始が内部インターフェース上で転送される、請求項９に記載の方法。
【請求項１２】
前記ワイヤレスデバイス（１５０）に、前記第１の無線アクセス技術（ＲＡＴ−１）を使用して、ネットワークアクセスのための前記開始に対して応答すること（Ｓ２０６）であって、それによって、前記通信ネットワーク（１００ａ、１００ｂ）に対する前記ワイヤレスデバイス（１５０）のネットワークアクセスを可能にする、応答すること（Ｓ２０６）
をさらに備える、請求項９から１１のいずれか一項に記載の方法。
【請求項１３】
前記開始に対して応答したことに応答して前記ワイヤレスデバイス（１５０）からプロトコルレイヤ２またはプロトコルレイヤ３メッセージを受信すること（Ｓ２０８）と、
前記プロトコルレイヤ２またはプロトコルレイヤ３メッセージを前記別のネットワークノード（１４０ｂ）に転送すること（Ｓ２１２）と
をさらに備える、請求項１２に記載の方法。
【請求項１４】
前記受信されたプロトコルレイヤ２またはプロトコルレイヤ３メッセージの品質尺度を取得すること（Ｓ２１０）であって、前記別のネットワークノード（１４０ｂ）に転送される前記プロトコルレイヤ２またはプロトコルレイヤ３メッセージが前記品質尺度を備える、取得すること（Ｓ２１０）
をさらに備える、請求項１３に記載の方法。
【請求項１５】
通信ネットワーク（１００ａ、１００ｂ）に対するワイヤレスデバイス（１５０）のネットワークアクセスのための方法であって、前記方法が、第２の無線アクセス技術（ＲＡＴ−２）を使用するネットワークノード（１４０ｂ）によって実施され、前記方法が、
前記第２の無線アクセス技術（ＲＡＴ−２）とは異なる第１の無線アクセス技術（ＲＡＴ−１）を使用してワイヤレスデバイス（１５０）からの前記通信ネットワーク（１００ａ、１００ｂ）に対するネットワークアクセスのための開始を別のネットワークノード（１４０ａ）から受信すること（Ｓ３０２）と、
前記ワイヤレスデバイス（１５０）に、前記第２の無線アクセス技術（ＲＡＴ−２）を使用して、ネットワークアクセスのための前記開始に対して応答すること（Ｓ３０４）であって、それによって、前記通信ネットワーク（１００ａ、１００ｂ）に対する前記ワイヤレスデバイス（１５０）のネットワークアクセスを可能にする、応答すること（Ｓ３０４）と
を備える、方法。
【請求項１６】
前記別のネットワークノード（１４０ａ）から、転送されたプロトコルレイヤ２またはプロトコルレイヤ３メッセージを受信すること（Ｓ３０６）であって、前記転送されたプロトコルレイヤ２またはプロトコルレイヤ３メッセージが前記ワイヤレスデバイス（１５０）から転送された、受信すること（Ｓ３０６）
をさらに備える、請求項１５に記載の方法。
【請求項１７】
前記受信された転送されたプロトコルレイヤ２またはプロトコルレイヤ３メッセージに基づいて、前記通信ネットワーク（１００ａ、１００ｂ）に対する前記ワイヤレスデバイス（１５０）のネットワークアクセスを可能にすることを継続すべきかどうかを決定すること（Ｓ３０８）
をさらに備える、請求項１６に記載の方法。
【請求項１８】
通信ネットワーク（１００ａ、１００ｂ）に対するワイヤレスデバイス（１５０）のネットワークアクセスのための方法であって、前記方法が、
前記通信ネットワーク（１００ａ、１００ｂ）中の第１のネットワークノード（１４０ａ）によって、第１の無線アクセス技術（ＲＡＴ−１）を使用して、前記ワイヤレスデバイス（１５０）からの前記通信ネットワーク（１００ａ、１００ｂ）に対するネットワークアクセスのための開始を受信すること（Ｓ４０２）と、
前記通信ネットワーク（１００ａ、１００ｂ）中の第２のネットワークノード（１４０ｂ）によって、前記第１の無線アクセス技術（ＲＡＴ−１）とは異なる第２の無線アクセス技術（ＲＡＴ−２）を使用して、前記ワイヤレスデバイス（１５０）にネットワークアクセスのための前記開始に対して応答すること（Ｓ４０４）であって、それによって、前記通信ネットワーク（１００ａ、１００ｂ）に対する前記ワイヤレスデバイス（１５０）のネットワークアクセスを可能にする、応答すること（Ｓ４０４）と
を備える、方法。
【請求項１９】
前記第１の無線アクセス技術（ＲＡＴ−１）および前記第２の無線アクセス技術（ＲＡＴ−２）が、前記ワイヤレスデバイス（１５０）との通信のために相互に異なる周波数帯域を使用する、請求項１から１８のいずれか一項に記載の方法。
【請求項２０】
前記第１の無線アクセス技術（ＲＡＴ−１）および前記第２の無線アクセス技術（ＲＡＴ−２）が、前記ワイヤレスデバイス（１５０）に対して応答するための相互に異なる応答時間を有する、請求項１から１９のいずれか一項に記載の方法。
【請求項２１】
前記第１の無線アクセス技術（ＲＡＴ−１）および前記第２の無線アクセス技術（ＲＡＴ−２）のうちの一方が認可周波数帯域中で動作し、前記第１の無線アクセス技術（ＲＡＴ−１）および前記第２の無線アクセス技術（ＲＡＴ−２）のうちの他方が無認可周波数帯域中で動作する、請求項１から２０のいずれか一項に記載の方法。
【請求項２２】
前記ネットワークアクセスがランダムアクセスプロシージャの一部である、請求項１から２１のいずれか一項に記載の方法。
【請求項２３】
前記ネットワークアクセスが非競合アクセスプロシージャの一部である、請求項１から２２のいずれか一項に記載の方法。
【請求項２４】
前記ネットワークアクセスが、事前設定された専用リソースを使用するアクセスプロシージャの一部である、請求項１から２３のいずれか一項に記載の方法。
【請求項２５】
ワイヤレスデバイス（１５０）であって、通信ネットワーク（１００ａ、１００ｂ）に対する前記ワイヤレスデバイス（１５０）のネットワークアクセスのためのものであり、前記ワイヤレスデバイス（１５０）が処理回路（２１０）を備え、前記処理回路が、
前記通信ネットワーク（１００ａ、１００ｂ）に対して、第１の無線アクセス技術（ＲＡＴ−１）を使用してネットワークアクセスを開始することと、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスに対する少なくとも応答を受信するために準備することと
を前記ワイヤレスデバイス（１５０）に行わせるように設定された、ワイヤレスデバイス（１５０）。
【請求項２６】
ワイヤレスデバイス（１５０）であって、通信ネットワーク（１００ａ、１００ｂ）に対する前記ワイヤレスデバイス（１５０）のネットワークアクセスのためのものであり、前記ワイヤレスデバイス（１５０）が、
処理回路（２１０）と、
命令を記憶するコンピュータプログラム製品（４１０ａ）とを備え、前記命令が、前記処理回路（２１０）によって実行されたとき、
前記通信ネットワーク（１００ａ、１００ｂ）に対して、第１の無線アクセス技術（ＲＡＴ−１）を使用してネットワークアクセスを開始することと、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスに対する少なくとも応答を受信するために準備することと
を前記ワイヤレスデバイス（１５０）に行わせる、ワイヤレスデバイス（１５０）。
【請求項２７】
ワイヤレスデバイス（１５０）であって、通信ネットワーク（１００ａ、１００ｂ）に対する前記ワイヤレスデバイス（１５０）のネットワークアクセスのためのものであり、前記ワイヤレスデバイス（１５０）が、
前記通信ネットワーク（１００ａ、１００ｂ）に対して、第１の無線アクセス技術（ＲＡＴ−１）を使用してネットワークアクセスを開始するように設定された開始モジュール（２１０ａ）と、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスに対する少なくとも応答を受信するために準備するように設定された準備モジュール（２１０ｂ）と
を備える、ワイヤレスデバイス（１５０）。
【請求項２８】
通信ネットワーク（１００ａ、１００ｂ）に対するワイヤレスデバイス（１５０）のネットワークアクセスのためのネットワークノード（１４０ａ）であって、前記ネットワークノード（１４０ａ）が処理回路（３１０）を備え、前記処理回路は、
第１の無線アクセス技術（ＲＡＴ−１）を使用してワイヤレスデバイス（１５０）からの前記通信ネットワーク（１００ａ、１００ｂ）に対するネットワークアクセスのための開始を受信することと、
ネットワークアクセスのための前記開始を別のネットワークノード（１４０ｂ）に転送することであって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送することと
を前記ネットワークノード（１４０ａ）に行わせるように設定された、ネットワークノード（１４０ａ）。
【請求項２９】
通信ネットワーク（１００ａ、１００ｂ）に対するワイヤレスデバイス（１５０）のネットワークアクセスのためのネットワークノード（１４０ａ）であって、前記ネットワークノード（１４０ａ）が、
処理回路（３１０）と、
命令を記憶するコンピュータプログラム製品（４１０ｂ）とを備え、前記命令は、前記処理回路（３１０）によって実行されたとき、
第１の無線アクセス技術（ＲＡＴ−１）を使用してワイヤレスデバイス（１５０）からの前記通信ネットワーク（１００ａ、１００ｂ）に対するネットワークアクセスのための開始を受信することと、
ネットワークアクセスのための前記開始を別のネットワークノード（１４０ｂ）に転送することであって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送することと
を前記ネットワークノード（１４０ａ）に行わせる、ネットワークノード（１４０ａ）。
【請求項３０】
通信ネットワーク（１００ａ、１００ｂ）に対するワイヤレスデバイス（１５０）のネットワークアクセスのためのネットワークノード（１４０ａ）であって、前記ネットワークノード（１４０ａ）は、
前記第１の無線アクセス技術（ＲＡＴ−１）を使用してワイヤレスデバイス（１５０）からの前記通信ネットワーク（１００ａ、１００ｂ）に対するネットワークアクセスのための開始を受信するように設定された受信モジュール（３１０ａ）と、
ネットワークアクセスのための前記開始を別のネットワークノード（１４０ｂ）に転送するように設定された転送モジュール（３１０ｂ）であって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送モジュール（３１０ｂ）と
を備える、ネットワークノード（１４０ａ）。
【請求項３１】
通信ネットワーク（１００ａ、１００ｂ）に対するワイヤレスデバイス（１５０）のネットワークアクセスのためのネットワークノード（１４０ｂ）であって、前記ネットワークノード（１４０ｂ）が処理回路（３１０）を備え、前記処理回路が、
第２の無線アクセス技術（ＲＡＴ−２）とは異なる第１の無線アクセス技術（ＲＡＴ−１）を使用してワイヤレスデバイス（１５０）からの前記通信ネットワーク（１００ａ、１００ｂ）に対するネットワークアクセスのための開始を別のネットワークノード（１４０ａ）から受信することと、
前記ワイヤレスデバイス（１５０）に、前記第２の無線アクセス技術（ＲＡＴ−２）を使用して、ネットワークアクセスのための前記開始に対して応答することであって、それによって、前記通信ネットワーク（１００ａ、１００ｂ）に対する前記ワイヤレスデバイス（１５０）のネットワークアクセスを可能にする、応答することと
を前記ネットワークノード（１４０ｂ）に行わせるように設定された、ネットワークノード（１４０ｂ）。
【請求項３２】
通信ネットワーク（１００ａ、１００ｂ）に対するワイヤレスデバイス（１５０）のネットワークアクセスのためのネットワークノード（１４０ｂ）であって、前記ネットワークノード（１４０ｂ）が、
処理回路（３１０）と、
命令を記憶するコンピュータプログラム製品（４１０ｂ）とを備え、前記命令が、前記処理回路（３１０）によって実行されたとき、
第２の無線アクセス技術（ＲＡＴ−２）とは異なる第１の無線アクセス技術（ＲＡＴ−１）を使用してワイヤレスデバイス（１５０）からの前記通信ネットワーク（１００ａ、１００ｂ）に対するネットワークアクセスのための開始を別のネットワークノード（１４０ａ）から受信することと、
前記ワイヤレスデバイス（１５０）に、前記第２の無線アクセス技術（ＲＡＴ−２）を使用して、ネットワークアクセスのための前記開始に対して応答することであって、それによって、前記通信ネットワーク（１００ａ、１００ｂ）に対する前記ワイヤレスデバイス（１５０）のネットワークアクセスを可能にする、応答することと
を前記ネットワークノード（１４０ｂ）に行わせる、ネットワークノード（１４０ｂ）。
【請求項３３】
通信ネットワーク（１００ａ、１００ｂ）に対するワイヤレスデバイス（１５０）のネットワークアクセスのためのネットワークノード（１４０ｂ）であって、前記ネットワークノード（１４０ｂ）が、
第２の無線アクセス技術（ＲＡＴ−２）とは異なる第１の無線アクセス技術（ＲＡＴ−１）を使用してワイヤレスデバイス（１５０）からの前記通信ネットワーク（１００ａ、１００ｂ）に対するネットワークアクセスのための開始を別のネットワークノード（１４０ａ）から受信するように設定された受信モジュール（３１０ｇ）と、
応答モジュール（３１０ｈ）であって、前記ワイヤレスデバイス（１５０）に、前記第２の無線アクセス技術（ＲＡＴ−２）を使用して、ネットワークアクセスのための前記開始に対して応答することであって、それによって、前記通信ネットワーク（１００ａ、１００ｂ）に対する前記ワイヤレスデバイス（１５０）のネットワークアクセスを可能にするように設定された、応答モジュール（３１０ｈ）と
を備える、ネットワークノード（１４０ｂ）。
【請求項３４】
通信ネットワーク（１００ａ、１００ｂ）に対するワイヤレスデバイス（１５０）のネットワークアクセスのためのコンピュータプログラム（４２０ａ）であって、前記コンピュータプログラムがコンピュータコードを備え、前記コンピュータコードが、前記ワイヤレスデバイス（１５０）の処理回路（２１０）上で起動するとき、
前記通信ネットワーク（１００ａ、１００ｂ）に対して、第１の無線アクセス技術（ＲＡＴ−１）を使用してネットワークアクセスを開始すること（Ｓ１０２）と、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスに対する少なくとも応答を受信するために準備すること（Ｓ１０４）と
を前記ワイヤレスデバイス（１５０）に行わせる、コンピュータプログラム（４２０ａ）。
【請求項３５】
通信ネットワーク（１００ａ、１００ｂ）に対するワイヤレスデバイス（１５０）のネットワークアクセスのためのコンピュータプログラム（４２０ｂ）であって、前記コンピュータプログラムがコンピュータコードを備え、前記コンピュータコードは、ネットワークノード（１４０ａ）の処理回路（３１０）上で起動するとき、
第１の無線アクセス技術（ＲＡＴ−１）を使用してワイヤレスデバイス（１５０）からの前記通信ネットワーク（１００ａ、１００ｂ）に対するネットワークアクセスのための開始を受信すること（Ｓ２０２）と、
ネットワークアクセスのための前記開始を別のネットワークノード（１４０ｂ）に転送すること（Ｓ２０４）であって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送すること（Ｓ２０４）と
を前記ネットワークノード（１４０ａ）に行わせる、コンピュータプログラム（４２０ｂ）。
【請求項３６】
通信ネットワーク（１００ａ、１００ｂ）に対するワイヤレスデバイス（１５０）のネットワークアクセスのためのコンピュータプログラム（４２０ｃ）であって、前記コンピュータプログラムがコンピュータコードを備え、前記コンピュータコードが、ネットワークノード（１４０ｂ）の処理回路（３１０）上で起動するとき、
第２の無線アクセス技術（ＲＡＴ−２）とは異なる第１の無線アクセス技術（ＲＡＴ−１）を使用してワイヤレスデバイス（１５０）からの前記通信ネットワーク（１００ａ、１００ｂ）に対するネットワークアクセスのための開始を別のネットワークノード（１４０ａ）から受信すること（Ｓ３０２）と、
前記ワイヤレスデバイス（１５０）に、前記第２の無線アクセス技術（ＲＡＴ−２）を使用して、ネットワークアクセスのための前記開始に対して応答すること（Ｓ３０４）であって、それによって、前記通信ネットワーク（１００ａ、１００ｂ）に対する前記ワイヤレスデバイス（１５０）のネットワークアクセスを可能にする、応答すること（Ｓ３０４）と
を前記ネットワークノード（１４０ｂ）に行わせる、コンピュータプログラム（４２０ｃ）。
【請求項３７】
請求項３４から３６のうちの少なくとも一項に記載のコンピュータプログラム（４２０ａ、４２０ｂ、４２０ｃ）と、前記コンピュータプログラムが記憶されるコンピュータ可読記憶媒体（４３０）とを備えるコンピュータプログラム製品（４１０ａ、４１０ｂ、４１０ｃ）。
【発明の詳細な説明】
【技術分野】
【０００１】
本明細書で提示する実施形態は、通信ネットワークに対するワイヤレスデバイスのネットワークアクセスのための、方法、ワイヤレスデバイス、ネットワークノード、コンピュータプログラム、およびコンピュータプログラム製品に関する。
【背景技術】
【０００２】
通信ネットワークにおいては、所与の通信プロトコル、そのパラメータ、および通信ネットワークが配置されている物理環境に対して、良好なパフォーマンスおよび容量を取得するための難題があることがある。
【０００３】
たとえば、通信ネットワークにおいて所与の通信プロトコルのための良好なパフォーマンスおよび容量を提供する際の１つのパラメータは、通信ネットワークによってサーブされるワイヤレスデバイスに効率的なネットワークアクセスを提供する能力である。
【０００４】
ワイヤレスデバイスが、無線リソース制御（ＲＲＣ）アイドルモードにあるか、またはＲＲＣ再確立状態にあるときに、通信ネットワークにアクセスするためにＬｏｎｇ  Ｔｅｒｍ  Ｅｖｏｌｕｔｉｏｎ（ＬＴＥ）において使用されるネットワークアクセス方式によれば、ワイヤレスデバイスは、キャンプオンすべき１つのセルのみを選択し、その場合、アップリンク上でランダムアクセスプリアンブルを送るために、（ワイヤレスデバイスからネットワークへの）アップリンク送信タイミングのための参照として（ネットワークからワイヤレスデバイスへの）ダウンリンクフレームタイミングを使用する。この点において、セルは、通信ネットワーク中のネットワークノードによって送信される１次および２次同期信号とセル固有参照信号とによって規定され、各ネットワークノードは、１つまたは複数のセルを規定し得る。特定のセル中のワイヤレスデバイスが使用すべき時間および周波数リソース中のオケージョンは、通信ネットワークによって設定され、ブロードキャストされたシステム情報を介してまたは専用シグナリングを介してワイヤレスデバイスに提供される。ワイヤレスデバイスが新しいセルに対して再選択する場合、ワイヤレスデバイスは、その新しいセルに対してランダムアクセス試行を行う前に、アクセス設定に関してシステム情報または（ハンドオーバ状況では）専用情報を取得する必要がある。
【０００５】
ＬＴＥは、（非競合ランダムアクセス（ＣＦＲＡ）としても知られる）ＲＲＣ接続モードにおける専用プリアンブルを用いるランダムアクセス、またはＲＲＣアイドルモードまたはＲＲＣ接続モードにおける（競合ベースランダムアクセス（ＣＢＲＡ）としても知られる）プリアンブル受信および応答の後に実施される競合解消を用いるランダムアクセスをサポートする。ワイヤレスデバイスはまた、ランダムアクセスプリアンブルに対してネットワークから応答が受信されない場合、各プリアンブル送信再試行についてプリアンブル電力を段階的に増加させること（いわゆる電力ランピング）を行うように設定され得る。ランダムアクセス試行負荷を調節するためにバックオフ機構が存在する。
【０００６】
図２は、ワイヤレスデバイス（ＷＤ）とネットワークノード（ＮＮ）との間のＬＴＥランダムアクセスプロシージャのシグナリング図である。
【０００７】
Ｓ５０１：ワイヤレスデバイスは、ネットワークノードにランダムアクセスプリアンブルを送信する。ランダムアクセスプリアンブルは、専用シグネチャ、非専用シグネチャ、または（ワイヤレスデバイスが、たとえば、カバレッジ状況により特定シグネチャグループから選択する）特定カバレッジグループに属するシグネチャであり得る、プリアンブルシグネチャを備える。
【０００８】
Ｓ５０２：ネットワークノードは、ワイヤレスデバイスにランダムアクセス応答を送信する。ランダムアクセス応答は、ネットワークノードがどのプリアンブルシグネチャに対して応答したかを指示するプリアンブルインデックスを備える。ランダムアクセス応答は、ワイヤレスデバイスによって送信される次のメッセージのためにワイヤレスデバイスに与えられたアップリンク許可を備える。ランダムアクセス応答は、ワイヤレスデバイスのための送信タイミングアドバンス情報を備える。ワイヤレスデバイスは、専用プリアンブルの場合、一致するプリアンブルインデックスを受信した後、競合解消済みと考えられる。
【０００９】
Ｓ５０３：ワイヤレスデバイスは、プロトコルレイヤ２および／またはプロトコルレイヤ３（Ｌ２／Ｌ３）メッセージと、許可サイズが許容する場合、ユーザデータとをネットワークノードに送信する。そのようなＬ２／Ｌ３メッセージの例としては、ワイヤレスデバイスのアップリンクバッファステータス報告（ＢＳＲ）、ワイヤレスデバイスの電力ヘッドルーム報告（ＰＨＲ）、ワイヤレスデバイスによってランダムに選択されるかまたはネットワークノードによって割り振られるセル無線ネットワーク一時識別子（Ｃ−ＲＮＴＩ）、（１つまたは複数の）ＲＲＣメッセージセグメント、さらにはステップＳ５０２において十分なアップリンク許可が与えられた場合、ユーザデータがある。
【００１０】
Ｓ５０４：ネットワークノードは、ワイヤレスデバイスにアップリンク許可またはダウンリンクスケジューリングを送信する。アップリンク許可サイズは、ステップＳ５０３において受信されたＢＳＲおよびＰＨＲに依存する。ステップＳ５０３からのＣ−ＲＮＴＩは、物理ダウンリンク制御チャネル（ＰＤＣＣＨ）上でワイヤレスデバイスをアドレス指定するためにネットワークノードによって使用される。ワイヤレスデバイスは、非専用プリアンブル、すなわち、競合ベースランダムアクセスの場合、ステップＳ５０３からのＣ−ＲＮＴＩが一致すると、競合解消済みと考えられる。随意に、ネットワークノードは、ワイヤレスデバイスへのダウンリンクＬ２／Ｌ３／ユーザデータをスケジュールする。
【００１１】
ワイヤレスデバイスのネットワークアクセスのための改善された機構が依然として必要である。
【発明の概要】
【００１２】
本明細書の実施形態の目的は、ワイヤレスデバイスのネットワークアクセスのための効率的な機構を提供することである。
【００１３】
第１の態様によれば、通信ネットワークに対するワイヤレスデバイスのネットワークアクセスのための方法が提示される。方法は、ワイヤレスデバイスによって実施される。方法は、通信ネットワークに対して、第１の無線アクセス技術を使用してネットワークアクセスを開始することを備える。方法は、第１の無線アクセス技術とは異なる少なくとも第２の無線アクセス技術を使用して通信ネットワーク中のネットワークノードからネットワークアクセスに対する少なくとも応答を受信するために準備することを備える。
【００１４】
第２の態様によれば、通信ネットワークに対するワイヤレスデバイスのネットワークアクセスのためのワイヤレスデバイスが提示される。ワイヤレスデバイスは、処理回路を備える。処理回路は、通信ネットワークに対して、第１の無線アクセス技術を使用してネットワークアクセスを開始することをワイヤレスデバイスに行わせるように設定される。処理回路は、第１の無線アクセス技術とは異なる少なくとも第２の無線アクセス技術を使用して通信ネットワーク中のネットワークノードからネットワークアクセスに対する少なくとも応答を受信するために準備することをワイヤレスデバイスに行わせるように設定される。
【００１５】
第３の態様によれば、通信ネットワークに対するワイヤレスデバイスのネットワークアクセスのためのワイヤレスデバイスが提示される。ワイヤレスデバイスは、処理回路とコンピュータプログラム製品とを備える。コンピュータプログラム製品は、処理回路によって実行されたとき、動作またはステップをワイヤレスデバイスに実施させる命令を記憶する。動作またはステップは、通信ネットワークに対して、第１の無線アクセス技術を使用してネットワークアクセスを開始するためのワイヤレスデバイスを伴う。動作またはステップは、第１の無線アクセス技術とは異なる少なくとも第２の無線アクセス技術を使用して通信ネットワーク中のネットワークノードからネットワークアクセスに対する少なくとも応答を受信するために準備するためのワイヤレスデバイスを伴う。
【００１６】
第４の態様によれば、通信ネットワークに対するワイヤレスデバイスのネットワークアクセスのためのワイヤレスデバイスが提示される。ワイヤレスデバイスは、通信ネットワークに対して、第１の無線アクセス技術を使用してネットワークアクセスを開始するように設定された開始モジュールを備える。ワイヤレスデバイスは、第１の無線アクセス技術とは異なる少なくとも第２の無線アクセス技術を使用して通信ネットワーク中のネットワークノードからネットワークアクセスに対する少なくとも応答を受信するために準備するように設定された準備モジュールを備える。
【００１７】
第５の態様によれば、通信ネットワークに対するワイヤレスデバイスのネットワークアクセスのためのコンピュータプログラムが提示され、コンピュータプログラムは、ワイヤレスデバイスの処理回路上で起動するとき、第１の態様による方法をワイヤレスデバイスに実施させるコンピュータプログラムコードを備える。
【００１８】
第６の態様によれば、通信ネットワークに対するワイヤレスデバイスのネットワークアクセスのための方法が提示される。方法は、第１の無線アクセス技術を使用するネットワークノードによって実施される。方法は、第１の無線アクセス技術を使用してワイヤレスデバイスからの通信ネットワークに対するネットワークアクセスのための開始を受信することを備える。方法は、ネットワークアクセスのための開始を別のネットワークノードに転送することであって、前記別のネットワークノードが、ワイヤレスデバイスとの通信のために第１の無線アクセス技術とは異なる第２の無線アクセス技術を使用する、転送することを備える。
【００１９】
第７の態様によれば、通信ネットワークに対するワイヤレスデバイスのネットワークアクセスのためのネットワークノードが提示される。ネットワークノードは、処理回路を備える。処理回路は、第１の無線アクセス技術を使用してワイヤレスデバイスからの通信ネットワークに対するネットワークアクセスのための開始を受信することをネットワークノードに行わせるように設定される。処理回路は、ネットワークアクセスのための開始を別のネットワークノードに転送することであって、前記別のネットワークノードが、ワイヤレスデバイスとの通信のために第１の無線アクセス技術とは異なる第２の無線アクセス技術を使用する、転送することをネットワークノードに行わせるように設定される。
【００２０】
第８の態様によれば、通信ネットワークに対するワイヤレスデバイスのネットワークアクセスのためのネットワークノードが提示される。ネットワークノードは、処理回路とコンピュータプログラム製品とを備える。コンピュータプログラム製品は、処理回路によって実行されたとき、動作またはステップをネットワークノードに実施させる命令を記憶する。動作またはステップは、第１の無線アクセス技術を使用してワイヤレスデバイスからの通信ネットワークに対するネットワークアクセスのための開始を受信するためのネットワークノードを伴う。動作またはステップは、ネットワークアクセスのための開始を別のネットワークノードに転送するためのネットワークノードであって、前記別のネットワークノードが、ワイヤレスデバイスとの通信のために第１の無線アクセス技術とは異なる第２の無線アクセス技術を使用する、ネットワークノードを伴う。
【００２１】
第９の態様によれば、通信ネットワークに対するワイヤレスデバイスのネットワークアクセスのためのネットワークノードが提示される。ネットワークノードは、第１の無線アクセス技術を使用してワイヤレスデバイスからの通信ネットワークに対するネットワークアクセスのための開始を受信するように設定された受信モジュールを備える。ネットワークノードは、ネットワークアクセスのための開始を別のネットワークノードに転送するように設定された転送モジュールであって、前記別のネットワークノードが、ワイヤレスデバイスとの通信のために第１の無線アクセス技術とは異なる第２の無線アクセス技術を使用する、転送モジュールを備える。
【００２２】
第１０の態様によれば、通信ネットワークに対するワイヤレスデバイスのネットワークアクセスのためのコンピュータプログラムが提示され、コンピュータプログラムは、ネットワークノードの処理回路上で起動するとき、第６の態様による方法をネットワークノードに実施させるコンピュータプログラムコードを備える。
【００２３】
第１１の態様によれば、通信ネットワークに対するワイヤレスデバイスのネットワークアクセスのための方法が提示される。方法は、第２の無線アクセス技術を使用するネットワークノードによって実施される。方法は、第２の無線アクセス技術とは異なる第１の無線アクセス技術を使用してワイヤレスデバイスからの通信ネットワークに対するネットワークアクセスのための開始を別のネットワークノードから受信することを備える。方法は、ワイヤレスデバイスに、および第２の無線アクセス技術を使用して、ネットワークアクセスのための開始に対して応答することであって、それによって、通信ネットワークに対するワイヤレスデバイスのネットワークアクセスを可能にする、応答することを備える。
【００２４】
第１２の態様によれば、通信ネットワークに対するワイヤレスデバイスのネットワークアクセスのためのネットワークノードが提示される。ネットワークノードは、処理回路を備える。処理回路は、第２の無線アクセス技術とは異なる第１の無線アクセス技術を使用してワイヤレスデバイスからの通信ネットワークに対するネットワークアクセスのための開始を別のネットワークノードから受信することをネットワークノードに行わせるように設定される。処理回路は、ワイヤレスデバイスに、および第２の無線アクセス技術を使用して、ネットワークアクセスのための開始に対して応答することであって、それによって、通信ネットワークに対するワイヤレスデバイスのネットワークアクセスを可能にする、応答することをネットワークノードに行わせるように設定される。
【００２５】
第１３の態様によれば、通信ネットワークに対するワイヤレスデバイスのネットワークアクセスのためのネットワークノードが提示される。ネットワークノードは、処理回路とコンピュータプログラム製品とを備える。コンピュータプログラム製品は、処理回路によって実行されたとき、動作またはステップをネットワークノードに実施させる命令を記憶する。動作またはステップは、第２の無線アクセス技術とは異なる第１の無線アクセス技術を使用してワイヤレスデバイスからの通信ネットワークに対するネットワークアクセスのための開始を別のネットワークノードから受信するためのネットワークノードを伴う。動作またはステップは、ワイヤレスデバイスに、および第２の無線アクセス技術を使用して、ネットワークアクセスのための開始に対して応答することであって、それによって、通信ネットワークに対するワイヤレスデバイスのネットワークアクセスを可能にする、応答するためのネットワークノードを伴う。
【００２６】
第１５の態様によれば、通信ネットワークに対するワイヤレスデバイスのネットワークアクセスのためのネットワークノードが提示される。ネットワークノードは、第２の無線アクセス技術とは異なる第１の無線アクセス技術を使用してワイヤレスデバイスからの通信ネットワークに対するネットワークアクセスのための開始を別のネットワークノードから受信するように設定された受信モジュールを備える。ネットワークノードは、ワイヤレスデバイスに、および第２の無線アクセス技術を使用して、ネットワークアクセスのための開始に対して応答することであって、それによって、通信ネットワークに対するワイヤレスデバイスのネットワークアクセスを可能にする、応答することを行うように設定された応答モジュールを備える。
【００２７】
第１６の態様によれば、通信ネットワークに対するワイヤレスデバイスのネットワークアクセスのためのコンピュータプログラムが提示され、コンピュータプログラムは、ネットワークノードの処理回路上で起動するとき、第１１の態様による方法をネットワークノードに実施させるコンピュータプログラムコードを備える。
【００２８】
第１７の態様によれば、通信ネットワークに対するワイヤレスデバイスのネットワークアクセスのための方法が提示される。方法は、通信ネットワーク中の第１のネットワークノードによって、および第１の無線アクセス技術を使用して、ワイヤレスデバイスからの通信ネットワークに対するネットワークアクセスのための開始を受信することを備える。方法は、通信ネットワーク中の第２のネットワークノードによって、および第１の無線アクセス技術とは異なる第２の無線アクセス技術を使用して、ワイヤレスデバイスにネットワークアクセスのための開始に対して応答することであって、それによって、通信ネットワークに対するワイヤレスデバイスのネットワークアクセスを可能にする、応答することを備える。
【００２９】
第１８の態様によれば、第５の態様、第１０の態様、および第１６の態様のうちの少なくとも１つによるコンピュータプログラムと、コンピュータプログラムが記憶されるコンピュータ可読記憶媒体とを備えるコンピュータプログラム製品が提示される。コンピュータ可読ストレージ媒体は、非一時的コンピュータ可読ストレージ媒体であってもよい。
【００３０】
有利なことに、これらの方法、このワイヤレスデバイス、これらのネットワークノード、およびこれらのコンピュータプログラムは、ワイヤレスデバイスのネットワークアクセスのための効率的な機構を提供する。
【００３１】
次に、これらの方法、このワイヤレスデバイス、これらのネットワークノード、およびこれらのコンピュータプログラムに適用可能なさらなる利点を開示する。
【００３２】
混合ＲＡＴ応答遅延可能性をもつ通信ネットワークにおけるセットアップレイテンシが低減される。
【００３３】
ネットワークアクセスプロシージャ中に並列にセットアップされるべき異なるＲＡＴを使用する複数の接続が許容される。
【００３４】
ネットワークアクセスレイテンシ低減は、異なるネットワークアクセス応答遅延時間をもつ２つまたはそれ以上のネットワークノードが、ワイヤレスデバイスによって送信されたネットワークアクセスのための開始を実際に受信した場合、可能にされる。
【００３５】
通信ネットワークは、ネットワークアクセスの開始がワイヤレスデバイスから受信されたとき、高速応答ＲＡＴキャリアをオンにし、そのことによって、リーンであることと、最速の可能な応答を提供することの両方を可能にされる。
【００３６】
通信ネットワークは、１つのＲＡＴを使用してネットワークアクセスのための開始を受信し、依然として、カバレッジ、レイテンシおよび信号レベルを考慮に入れて、応答および継続すべき最も好適なＲＡＴを選択することができることを可能にされる。
【００３７】
ワイヤレスデバイスは、コロケートされていないネットワークノードから複数の応答を受信し、十分良好な品質をもつ最初に受信された応答を選択し、他の応答を廃棄することを可能にされる。
【００３８】
ワイヤレスデバイスは、複数の応答を受信し、十分良好な品質および十分高い優先度をもつ最初に受信された応答を選択し、他の応答を廃棄することを可能にされる。
【００３９】
ワイヤレスデバイスは、ネットワークアクセスのための１つの単一の開始を送信し、異なるＲＡＴを使用して異なる応答を受信するために準備されることを可能にされる。
【００４０】
ワイヤレスデバイスは、ほぼ同じ時間に異なるＲＡＴを使用して異なるネットワークノードにネットワークアクセスのための２つまたはそれ以上の異なる開始を送信し、異なるＲＡＴを使用して異なる応答を受信するために準備されることを可能にされる。
【００４１】
ワイヤレスデバイスは、２つ以上のＲＡＴからの応答が時間ウィンドウ内に受信された場合、特定ＲＡＴを優先させることを可能にされる。
【００４２】
相互に異なるＲＡＴを使用する２つまたはそれ以上のネットワークアクセスプロシージャは、並列に実施されることを許容され、そのことによって、ワイヤレスデバイスは、ほぼ同じ時間に２つまたはそれ以上のＲＡＴに対する接続を確立することを可能にされる。
【００４３】
第１、第２、第３、第４、第５、第６、第７、第８、第９、第１０、第１１、第１２、第１３、第１４、第１５、第１６、第１７および第１８の態様の任意の特徴は、適切であればいかなる場合も、任意の他の態様に適用され得ることに留意されたい。同様に、第１の態様の任意の利点は、第２、第３、第４、第５、第６、第７、第８、第９、第１０、第１１、第１２、第１３、第１４、第１５、第１６、第１７、および／または第１８の態様にそれぞれ等しく適用することができ、その逆もまた然りである。同封の実施形態の他の目標、特徴、および利点は、以下の詳細な開示から、添付の従属請求項から、ならびに図面から明らかとなるであろう。
【００４４】
一般に、特許請求の範囲において使用されるすべての用語は、本明細書で別段明示的に規定されない限り、本技術分野におけるその通例の意味に従って読み取るべきである。「１つの（ａ／ａｎ）／その（ｔｈｅ）要素、装置、コンポーネント、手段、ステップ、その他」へのすべての参照は、別段明示的に記述されない限り、その要素、装置、コンポーネント、手段、ステップ、その他の少なくとも１つの実例を指すようにオープンに読み取るべきである。本明細書で開示するいずれの方法のステップも、明示的に記述されない限り、開示した厳密な順序で実施される必要はない。
【００４５】
次に、本発明の概念を、例として、付随する図面を参照して説明する。
【図面の簡単な説明】
【００４６】
【図１】aおよびｂは、実施形態による通信ネットワークを例示する概略図である。
【図２】従来技術によるシグナリング図である。
【図３】実施形態によるシグナリング図である。
【図４】実施形態による方法の流れ図である。
【図５】実施形態による方法の流れ図である。
【図６】実施形態による方法の流れ図である。
【図７】実施形態による方法の流れ図である。
【図８】実施形態による方法の流れ図である。
【図９】実施形態による方法の流れ図である。
【図１０】実施形態による方法の流れ図である。
【図１１】実施形態によるシグナリング図である。
【図１２】実施形態によるシグナリング図である。
【図１３】実施形態によるシグナリング図である。
【図１４】実施形態によるシグナリング図である。
【図１５ａ】一実施形態によるワイヤレスデバイスの機能ユニットを示す概略図である。
【図１５ｂ】一実施形態によるワイヤレスデバイスの機能モジュールを示す概略図である。
【図１６ａ】一実施形態によるネットワークノードの機能ユニットを示す概略図である。
【図１６ｂ】一実施形態によるネットワークノードの機能モジュールを示す概略図である。
【図１７】一実施形態によるコンピュータ可読手段を備えるコンピュータプログラム製品の一例を示す図である。
【発明を実施するための形態】
【００４７】
次に、本発明の概念を、本発明の概念のいくらかの実施形態を示した付随する図面を参照して、以下でさらに十分に説明する。しかしながら、本発明の概念は、多くの異なる形態で具現化されてよく、本明細書で述べる実施形態に限定されるものとして解釈されるべきではない。むしろ、これらの実施形態は、本開示が徹底的かつ完全であり、本発明の概念の範囲を当業者に十分に伝えるように、例として提供される。同じような番号は、説明を通して同じような要素を指す。破線によって例示される任意のステップまたは特徴は、随意とみなされるべきである。
【００４８】
図１ａおよび図１ｂは、本明細書で提示する実施形態が適用され得る通信ネットワーク１００ａ、１００ｂを例示する概略図である。各通信ネットワーク１００ａ、１００ｂは、無線アクセスネットワーク１１０と、コアネットワーク１２０と、サービスネットワーク１３０とを備える。
【００４９】
無線アクセスネットワーク１１０は、本明細書では単一のワイヤレスデバイス１５０によって表されるワイヤレスデバイスにネットワークカバレッジを提供するように設定されたネットワークノード１４０ａ、１４０ｂを備える。当業者によって理解されるように、通信ネットワーク１００は、複数のそのようなネットワークノード１４０ａ、１４０ｂを備えることができ、各々は、複数のワイヤレスデバイス１５０にネットワークカバレッジを提供する。各ネットワークノード１４０ａ、１４０ｂは、無線基地局、基地トランシーバ局、ノードＢ、エボルブドノードＢ、または他のワイヤレスアクセスポイントとして提供されてよい。各ワイヤレスデバイス１５０は、移動局、モバイルフォン、ハンドセット、ワイヤレスローカルループフォン、ユーザ機器（ＵＥ）、スマートフォン、ラップトップコンピュータ、タブレットコンピュータ、ワイヤレスモデム、またはネットワーク装備センサーとして提供されてよい。
【００５０】
無線アクセスネットワーク１１０は、コアネットワーク１２０に動作可能に接続され、コアネットワーク１２０は、サービスネットワーク１３０に動作可能に接続される。ネットワークノード１４０ａ、１４０ｂのうちの少なくとも一方によってサーブされるワイヤレスデバイス１５０は、それによって、サービスにアクセスすることと、サービスネットワーク１３０とデータを交換することとを可能にされる。
【００５１】
ＬＴＥネットワークアクセスが無線アクセス技術ＲＡＴの一例として上で与えられた。新生のＲＡＴは、ＬＴＥネットワークアクセスプロシージャ中に発行されるランダムアクセス応答よりも高速なランダムアクセス応答を許容することができることが予示される。新生のＲＡＴは、ＬＴＥネットワークアクセスよりも高い周波数帯域と、ビームフォーミングと、パッチ状の（ｐａｔｃｈｙ）カバレッジとを使用し、ＬＴＥネットワークアクセスよりも短いレイテンシを有することができることが予示される。さらに、ワイヤレスデバイス１５０は、ネットワークアクセスを実施するために利用可能な別のＲＡＴがあることに気づいてさえいなくてもよい。
【００５２】
この説明では、無線アクセス技術という用語は広義に理解されるものとする。たとえば、応答時間が著しく異なる限り、無線アクセス技術は異なる無線アクセス技術と考えられる。たとえば、この意味で、たとえば、ＬＴＥ周波数分割複信（ＦＤＤ）とＬＴＥ時分割複信（ＴＤＤ）とは、これらのＲＡＴの両方がＬＴＥ規格に関係する場合でも、異なる無線アクセス技術と考えられる。
【００５３】
通信ネットワーク１００ａ、１００ｂは、簡単のために図１ａおよび図１ｂではＲＡＴ−１およびＲＡＴ−２と表示された、少なくとも２つの無線アクセス技術の同時使用をサポートすると仮定される。ネットワークノード１４０ａ、１４０ｂのうちの一方を第１のネットワークノード１４０ａとして表示し、ネットワークノード１４０ａ、１４０ｂのうちの他方を第２のネットワークノード１４０ｂとして表示する。第１のネットワークノード１４０ａは、ＲＡＴ−１を使用してネットワークアクセスを提供し、第２のネットワークノード１４０ｂは、ＲＡＴ−２を使用してネットワークアクセスを提供する。この点において、ＲＡＴ−１またはＲＡＴ−２のいずれかとして使用され得る無線アクセス技術の一例は、ＬＴＥ無線アクセスである。
【００５４】
ネットワークノード１４０ａの受信機は、ネットワークノード１４０ｂの送信機に通信すると仮定され、ネットワークノード１４０ｂの受信機は、ネットワークノード１４０ａの送信機に通信すると仮定される。この点において、ネットワークノード１４０ａの受信機は、ネットワークノード１４０ｂの受信機がネットワークノード１４０ａの送信機に通信するよりも高速に、ネットワークノード１４０ｂの送信機に通信すると仮定される。たとえば、ネットワークノード１４０ａの受信機は、ネットワークノード１４０ｂの送信機に過大な遅延なしに通信すると仮定され得る。さらに、最低可能なレイテンシを達成するために、ＲＡＴ−１およびＲＡＴ−２のフレーム境界および／または送信時間間隔（ＴＴＩ）は、時間的に好都合な様式で整合され得る。ただし、これは必須ではない。たとえば、ＲＡＴのうちの一方がはるかに短いＴＴＩを有する場合、レイテンシ劣化は限定される。
【００５５】
通信ネットワーク１００ｂでは、ネットワークノード１４０ａ、１４０ｂはコロケートされる（および、したがって、ベースバンド信号処理リソース、無線ヘッドなど、ハードウェアコンポーネントを共有し得る）が、通信ネットワーク１００ａでは、ネットワークノード１４０ａ、１４０ｂは異なるロケーションにおいて提供される（および、そのため、ベースバンド信号処理リソース、無線ヘッドなど、ハードウェアコンポーネントを共有しない）。いずれの場合も、ネットワークノード１４０ａ、１４０ｂは論理ユニットとみなされ得る。この点において、各ＲＡＴは、それ自体の論理ネットワークノード１４０ａ、１４０ｂを有する。
【００５６】
上で開示したＬＴＥネットワークアクセスは、複数のＲＡＴ接続が、ランダムアクセスプロシージャ中にすでに並列にセットアップされていることを許容しない。さらに、ＬＴＥネットワークアクセスは、ランダムアクセスが、あるＲＡＴ上で開始されるが、別のＲＡＴ上で確立されることを許容しない。さらに、ＬＴＥネットワークアクセスは、ランダムアクセスが、最速のＲＡＴについて余分の遅延を生じることなしに、同じまたは異なるＲＡＴ上で並列に開始され、確立されることを許容しない。
【００５７】
本明細書で開示する実施形態は、そのため、通信ネットワーク１００ａ、１００ｂに対するワイヤレスデバイス１５０のネットワークアクセスのための機構に関する。そのような機構を取得するために、ワイヤレスデバイス１５０と、ワイヤレスデバイス１５０によって実施される方法と、たとえばコンピュータプログラムの形態で、コードを備えるコンピュータプログラム製品とが提供され、コードは、ワイヤレスデバイス１５０の処理回路上で起動するとき、方法をワイヤレスデバイス１５０に実施させる。そのような機構を取得するために、ネットワークノード１４０ａ、１４０ｂと、ネットワークノード１４０ａ、１４０ｂによって実施される方法と、たとえばコンピュータプログラムの形態で、コードを備えるコンピュータプログラム製品とがさらに提供され、コードは、ネットワークノード１４０ａ、１４０ｂの処理回路上で起動するとき、方法をネットワークノード１４０ａ、１４０ｂに実施させる。
【００５８】
図４および図５は、ワイヤレスデバイス１５０によって実施される、通信ネットワーク１００ａ、１００ｂに対するワイヤレスデバイス１５０のネットワークアクセスのための方法の実施形態を例示するフローチャートである。図６、図７、図８、図９、および図１０は、ネットワークノード１４０ａ、１４０ｂによって実施される、通信ネットワーク１００ａ、１００ｂに対するワイヤレスデバイス１５０のネットワークアクセスのための方法の実施形態を例示するフローチャートである。方法は、有利には、コンピュータプログラム４２０ａ、４２０ｂ、４２０ｃとして提供される。
【００５９】
次に、一実施形態による、ワイヤレスデバイス１５０によって実施される、通信ネットワーク１００ａ、１００ｂに対するワイヤレスデバイス１５０のネットワークアクセスのための方法を例示する図４を参照する。
【００６０】
Ｓ１０２：ワイヤレスデバイス１５０は、通信ネットワーク１００ａ、１００ｂに対して、ＲＡＴ−１を使用してネットワークアクセスを開始する。ある態様では、ワイヤレスデバイス１５０は、ステップＳ１０２において、通信ネットワーク１００ａ、１００ｂに対して、ＲＡＴ−１のみを使用してネットワークアクセスを開始する。すなわち、ネットワークアクセスは、ＲＡＴ−２を使用せずに開始される。
【００６１】
ＲＡＴ−１を使用するネットワークアクセスは、ＲＡＴ−１を使用して通信ネットワーク１００ａ、１００ｂ中のネットワークノード１４０ａによって受信されると仮定される。しかしながら、ワイヤレスデバイス１５０は、ＲＡＴ−２を使用してネットワークアクセスに対する応答を受信し、したがって、ステップＳ１０４を実施するように設定されることも可能であるように設定される。
【００６２】
Ｓ１０４：ワイヤレスデバイス１５０は、少なくともＲＡＴ−２を使用して、通信ネットワーク１００ａ、１００ｂ中のネットワークノード１４０ｂからネットワークアクセスに対する少なくとも応答を受信するために準備し、ここで、ＲＡＴ−２はＲＡＴ−１とは異なる。ワイヤレスデバイス１５０は、ステップＳ１０２においてネットワークアクセスを開始するときにＲＡＴ−２が使用されなかったにもかかわらず、ＲＡＴ−２をも使用して応答を受信するために準備する。したがって、ワイヤレスデバイス１５０は、ＲＡＴ−１とは異なる、およびネットワークアクセスが開始されなかった、少なくとも１つのＲＡＴを使用して、通信ネットワーク１００ａ、１００ｂ中のネットワークノード１４０ｂからネットワークアクセスに対する少なくとも応答を受信するために準備する。
【００６３】
ある態様では、ワイヤレスデバイス１５０は、ステップＳ１０２において、ここではＲＡＴ−１によって規定される、少なくとも１つのＲＡＴにおいてネットワークアクセスを開始し、ステップＳ１０４において、ここではＲＡＴ−２によって規定される、少なくとも１つの他のＲＡＴにおいて応答を受信するために準備する。大まかに言えば、ワイヤレスデバイス１５０は、ステップＳ１０２において、ＲＡＴの第１のセットを使用してネットワークアクセスを開始し、ステップＳ１０４において、ＲＡＴの第２のセットを使用して通信ネットワーク１００ａ、１００ｂ中のネットワークノード１４０ｂからネットワークアクセスに対する少なくとも応答を受信するために準備し、ここで、ＲＡＴの第２のセットは、ＲＡＴの第１のセット中に備えられていないＲＡＴのうちの少なくとも１つを備える。
【００６４】
次に、さらなる実施形態による、ワイヤレスデバイス１５０によって実施される、通信ネットワーク１００ａ、１００ｂに対するワイヤレスデバイス１５０のネットワークアクセスのための方法を例示する図５を参照する。ステップＳ１０２〜Ｓ１０４は、上で開示したように実施されると仮定される。
【００６５】
上で開示したように、ワイヤレスデバイス１５０は、ステップＳ１０４において、ネットワークアクセスに対する少なくとも応答を受信するために準備する。一実施形態によれば、ワイヤレスデバイス１５０は、ＲＡＴ−２を使用して応答を受信する。したがって、一実施形態によれば、ワイヤレスデバイス１５０は、ステップＳ１０６を実施するように設定される。
【００６６】
Ｓ１０６：ワイヤレスデバイス１５０は、ＲＡＴ−２を使用してネットワークノード１４０ｂからネットワークアクセスに対する応答を受信する。
【００６７】
別の実施形態によれば、ワイヤレスデバイス１５０は、ＲＡＴ−１を使用して応答を受信する。したがって、一実施形態によれば、ワイヤレスデバイス１５０は、ステップＳ１０８を実施するように設定される。
【００６８】
Ｓ１０８：ワイヤレスデバイス１５０は、ＲＡＴ−１を使用して通信ネットワーク１００ａ、１００ｂ中のネットワークノード１４０ａからネットワークアクセスに対する応答を受信する。
【００６９】
２つの応答が受信された場合、すなわち、ステップＳ１０６とステップＳ１０８の両方が実施された場合、ワイヤレスデバイス１５０は、両方のネットワークアクセスプロシージャを継続することができる。したがって、一実施形態によれば、ワイヤレスデバイス１５０は、ステップＳ１１０を実施するように設定される。
【００７０】
Ｓ１１０：ワイヤレスデバイス１５０は、ＲＡＴ−１とＲＡＴ−２の両方を使用してネットワークアクセスを継続する。
【００７１】
代替的に、ワイヤレスデバイス１５０は、ネットワークアクセスプロシージャのうちの一方のみを継続する。したがって、一実施形態によれば、ワイヤレスデバイス１５０は、ステップＳ１１２を実施するように設定される。
【００７２】
Ｓ１１２：ワイヤレスデバイス１５０は、ＲＡＴ−１およびＲＡＴ−２のうちの一方のみを使用してネットワークアクセスを継続する。
【００７３】
ワイヤレスデバイス１５０が、ネットワークアクセスプロシージャのうちのどちらを継続すべきかを決定する、異なるやり方がある。一実施形態によれば、ＲＡＴ−１を使用するネットワークアクセスプロシージャおよびＲＡＴ−２を使用するネットワークアクセスプロシージャのうちのどちらを継続すべきかは、応答が受信される順序、ＲＡＴ−１およびＲＡＴ−２の相互優先度、ならびに／または（それぞれ、ステップＳ１０６においておよびステップＳ１０８において受信された）受信された応答中の受信信号品質に基づく。
【００７４】
さらに、ワイヤレスデバイス１５０は、ＲＡＴ−１とＲＡＴ−２との間で切り替えるように設定され得る。したがって、一実施形態によれば、ワイヤレスデバイス１５０は、ステップＳ１１４を実施するように設定される。
【００７５】
Ｓ１１４：ワイヤレスデバイス１５０は、ＲＡＴ−１およびＲＡＴ−２のうちの一方からＲＡＴ−１およびＲＡＴ−２のうちの他方にネットワークアクセスを切り替える。したがって、ワイヤレスデバイス１５０が、ＲＡＴ−１を使用するネットワークアクセスプロシージャを継続することを決定した場合、ワイヤレスデバイス１５０は、この実施形態によれば、ＲＡＴ−２を使用するネットワークアクセスプロシージャに切り替えることを可能にされ、その逆もまた然りである。
【００７６】
ワイヤレスデバイス１５０が、受信された応答のいずれかに対して応答する、異なるやり方があり得る。一実施形態によれば、ワイヤレスデバイス１５０は、ステップＳ１１６を実施することによって、受信された応答に対して応答するように設定される。
【００７７】
Ｓ１１６：ワイヤレスデバイス１５０は、ネットワークノード１４０ｂに、およびＲＡＴ−２を使用して、ユーザデータおよび／または制御シグナリングを送信することによって応答に対して応答する。
【００７８】
次に、一実施形態による、ネットワークノード１４０ａによって実施される、通信ネットワーク１００ａ、１００ｂに対するワイヤレスデバイス１５０のネットワークアクセスのための方法を例示する図６を参照する。ネットワークノード１４０ａは、ＲＡＴ−１を使用していると仮定される。
【００７９】
上で開示したように、ワイヤレスデバイス１５０は、ステップＳ１０２において、通信ネットワーク１００ａ、１００ｂに対して、ＲＡＴ−１を使用してネットワークアクセスを開始する。例示の目的で、ネットワークアクセスのためのこの開始は、ネットワークノード１４０ａによって受信されると仮定される。したがって、ネットワークノード１４０ａは、ステップＳ２０２を実施するように設定される。
【００８０】
Ｓ２０２：ネットワークノード１４０ａは、ＲＡＴ−１を使用してワイヤレスデバイス１５０からの通信ネットワーク１００ａ、１００ｂに対するネットワークアクセスのための開始を受信する。
【００８１】
ネットワークノード１４０ａは、ネットワークアクセスのための開始に対して応答することも応答しないこともあるが、ネットワークノード１４０ａは、代替または追加として、ネットワークアクセスのための開始を転送し、したがって、ステップＳ２０４を実施するように設定される。
【００８２】
Ｓ２０４：ネットワークノード１４０ａは、ネットワークアクセスのための開始を別のネットワークノード１４０ｂに転送する。このネットワークノード１４０ｂは、ワイヤレスデバイス１５０との通信のためにＲＡＴ−２を使用するように設定され、ここで、上で開示したように、ＲＡＴ−２はＲＡＴ−１とは異なる。
【００８３】
次に、さらなる実施形態による、ネットワークノード１４０ａによって実施される、通信ネットワーク１００ａ、１００ｂに対するワイヤレスデバイス１５０のネットワークアクセスのための方法を例示する図７を参照する。ステップＳ２０２〜Ｓ２０４は、上で開示したように実施されると仮定される。
【００８４】
ネットワークノード１４０ａがネットワークアクセスのための開始をネットワークノード１４０ｂに転送する、異なるやり方があり得る。図１ａにあるように、ネットワークノード１４０ａおよびネットワークノード１４０ｂは、異なるロケーションにおいて提供されてよい。ネットワークノード１４０ａおよびネットワークノード１４０ｂは、その場合、いわゆるＸ２インターフェースまたは同様のノード外部インターフェースを使用して、動作可能に接続され得る。したがって、一実施形態によれば、ネットワークアクセスのための開始はＸ２インターフェース上で転送される。図１ｂにあるように、ネットワークノード１４０ａおよびネットワークノード１４０ｂはコロケートされてもよい。ネットワークノード１４０ａおよびネットワークノード１４０ｂは、その場合、論理インターフェースによって分離され得る。論理インターフェースの一例は内部インターフェースである。したがって、一実施形態によれば、ネットワークアクセスのための開始はこの内部インターフェース上で転送される。
【００８５】
上で開示したように、ネットワークノード１４０ａは、ネットワークアクセスのための開始に対して応答することも応答しないこともある。一実施形態によれば、ネットワークノード１４０ａは、ネットワークアクセスのための開始に対して実際応答し、したがって、ステップＳ２０６を実施するように設定される。
【００８６】
Ｓ２０６：ネットワークノード１４０ａは、ＲＡＴ−１を使用して、ワイヤレスデバイス１５０にネットワークアクセスのための開始に対して応答する。ネットワークノード１４０ａは、それによって、通信ネットワーク１００ａ、１００ｂに対するワイヤレスデバイス１５０のネットワークアクセスを可能にする。
【００８７】
ワイヤレスデバイス１５０のネットワークアクセスが可能にされたとき、ワイヤレスデバイス１５０は、ネットワークノード１４０ａにＬ２／Ｌ３メッセージ（および、許可サイズによって許容される場合、ユーザデータ）を送信することができる。したがって、一実施形態によれば、ネットワークノード１４０ａは、ステップＳ２０８を実施するように設定される。
【００８８】
Ｓ２０８：ネットワークノード１４０ａは、ステップＳ２０６において開始に対して応答したことに応答して、ワイヤレスデバイス１５０からプロトコルレイヤ２またはプロトコルレイヤ３（Ｌ２／Ｌ３）メッセージを受信する。
【００８９】
Ｌ２／Ｌ３メッセージは、その場合、ステップＳ２１２にあるように転送され得る。
【００９０】
Ｓ２１２：ネットワークノード１４０ａは、Ｌ２／Ｌ３メッセージをネットワークノード１４０ｂに転送する。
【００９１】
ネットワークノード１４０ａは、いくつかの態様では、受信された応答の品質尺度を転送される応答に含める。したがって、一実施形態によれば、ネットワークノード１４０ａは、ステップＳ２１０を実施するように設定される。
【００９２】
Ｓ２１０：ネットワークノード１４０ａは、受信されたＬ２／Ｌ３メッセージの品質尺度を取得する。ネットワークノード１４０ｂに転送されるＬ２／Ｌ３メッセージは、その場合、品質尺度を備える。ステップＳ２１０は、したがって、ステップＳ２１２の前に実施される。
【００９３】
次に、一実施形態による、ネットワークノード１４０ｂによって実施される、通信ネットワーク１００ａ、１００ｂに対するワイヤレスデバイス１５０のネットワークアクセスのための方法を例示する図８を参照する。ネットワークノード１４０ｂは、ＲＡＴ−２を使用していると仮定される。
【００９４】
上で開示したように、ネットワークノード１４０ａは、ネットワークアクセスのための開始をネットワークノード１４０ｂに転送する。例示の目的で、ネットワークアクセスのためのこの開始のこの転送は、ネットワークノード１４０ｂによって受信されると仮定される。したがって、ネットワークノード１４０ｂは、ステップＳ３０２を実施するように設定される。
【００９５】
Ｓ３０２：ネットワークノード１４０ｂは、ＲＡＴ−１を使用してワイヤレスデバイス１５０からの通信ネットワーク１００ａ、１００ｂに対するネットワークアクセスのための開始をネットワークノード１４０ａから受信し、ここで、上で開示したように、ＲＡＴ−１はＲＡＴ−２とは異なる。
【００９６】
ネットワークノード１４０ｂは、ネットワークアクセスのための開始に対して応答し、したがって、ステップＳ３０４を実施するように設定される。
【００９７】
Ｓ３０４：ネットワークノード１４０ｂは、ＲＡＴ−２を使用して、ワイヤレスデバイス１５０にネットワークアクセスのための開始に対して応答する。ネットワークノード１４０ｂは、それによって、通信ネットワーク１００ａ、１００ｂに対するワイヤレスデバイス１５０のネットワークアクセスを可能にする。
【００９８】
次に、さらなる実施形態による、ネットワークノード１４０ｂによって実施される、通信ネットワーク１００ａ、１００ｂに対するワイヤレスデバイス１５０のネットワークアクセスのための方法を例示する図９を参照する。ステップＳ３０２〜Ｓ３０４は、上で開示したように実施されると仮定される。
【００９９】
上で開示したように、ネットワークノード１４０ａは、ステップＳ２１２において、Ｌ２／Ｌ３メッセージをネットワークノード１４０ｂに転送する。一実施形態では、このＬ２／Ｌ３メッセージはネットワークノード１４０ｂによって受信されると仮定される。したがって、一実施形態によれば、ネットワークノード１４０ｂは、ステップＳ３０６を実施するように設定される。
【０１００】
Ｓ３０６：ネットワークノード１４０ｂは、ネットワークノード１４０ａから、転送されたＬ２／Ｌ３メッセージを受信する。上で開示したように、転送されたＬ２／Ｌ３メッセージは、ワイヤレスデバイス１５０から（ネットワークノード１４０ａによって）転送された。
【０１０１】
ネットワークノード１４０ｂは、その場合、受信された転送されたＬ２／Ｌ３メッセージに基づいて、ワイヤレスデバイス１５０とのネットワークアクセスプロシージャを継続すべきかどうかを決定し得る。とりわけ、一実施形態によれば、ネットワークノード１４０ｂは、ステップＳ３０８を実施するように設定される。
【０１０２】
Ｓ３０８：ネットワークノード１４０ｂは、受信された転送されたＬ２／Ｌ３メッセージに基づいて、通信ネットワーク１００ａ、１００ｂに対するワイヤレスデバイス１５０のネットワークアクセスを可能にすることを継続すべきかどうかを決定する。
【０１０３】
次に、一実施形態による、ネットワークノード１４０ａ、１４０ｂによって実施される、通信ネットワーク１００ａ、１００ｂに対するワイヤレスデバイス１５０のネットワークアクセスのための方法を例示する図１０を参照する。
【０１０４】
上で開示したように、ワイヤレスデバイス１５０は、ステップＳ１０２において、通信ネットワーク１００ａ、１００ｂに対して、ＲＡＴ−１を使用してネットワークアクセスを開始する。例示の目的で、ネットワークアクセスのためのこの開始は、ネットワークノード１４０ａによって受信されると仮定される。したがって、ネットワークノード１４０ａは、ステップＳ４０２を実施するように設定される。
【０１０５】
Ｓ４０２：ネットワークノード１４０ａは、ＲＡＴ−１を使用して、ワイヤレスデバイス１５０からの通信ネットワーク１００ａ、１００ｂに対するネットワークアクセスのための開始を受信する。
【０１０６】
ネットワークアクセスのための開始に対する応答は、その場合、ネットワークノード１４０ｂによって送信され、ネットワークノード１４０ｂは、したがって、ステップＳ４０４を実施するように設定される。
【０１０７】
Ｓ４０４：ネットワークノード１４０ｂは、ＲＡＴ−２を使用して、ワイヤレスデバイス１５０にネットワークアクセスのための開始に対して応答し、ここで、上で開示したように、ＲＡＴ−２はＲＡＴ−１とは異なる。ネットワークノード１４０ｂは、それによって、通信ネットワーク１００ａ、１００ｂに対するワイヤレスデバイス１５０のネットワークアクセスを可能にする。
【０１０８】
次に、すべての上で開示した方法に適用可能な随意の特徴を表す実施形態を開示する。
【０１０９】
ＲＡＴ−２がＲＡＴ−１とは異なり得る、異なるやり方がある。たとえば、ＲＡＴ−１およびＲＡＴ−２は、異なる周波数帯域を使用することができる。したがって、一実施形態によれば、ＲＡＴ−１およびＲＡＴ−２は、ワイヤレスデバイス１５０との通信のために相互に異なる周波数帯域を使用する。たとえば、ＲＡＴ−１およびＲＡＴ−２は、異なるレイテンシを有することができる。したがって、一実施形態によれば、ＲＡＴ−１およびＲＡＴ−２は、ワイヤレスデバイス１５０に対して応答するための相互に異なる応答時間を有する。たとえば、ＲＡＴ−１およびＲＡＴ−２のうちの一方はライセンス済みスペクトル中で動作し、他方は未ライセンススペクトル中で動作することができる。したがって、一実施形態によれば、ＲＡＴ−１およびＲＡＴ−２のうちの一方はライセンス済み周波数帯域中で動作し、ＲＡＴ−１およびＲＡＴ−２のうちの他方は未ライセンス周波数帯域中で動作する。これらの実施形態の組合せも予見される。
【０１１０】
ワイヤレスデバイス１５０およびネットワークノード１４０ａ、１４０ｂが参加するネットワークアクセスプロシージャの異なる例がある。一実施形態によれば、ネットワークアクセスはランダムアクセスプロシージャの一部である。このランダムアクセスプロシージャはＬＴＥランダムアクセスプロシージャであり得る。一実施形態によれば、ネットワークアクセスは非競合アクセスプロシージャの一部である。このランダムアクセスプロシージャは、新生のＲＡＴを使用するランダムアクセスプロシージャであり得る。一実施形態によれば、ネットワークアクセスは、事前設定された専用リソースを使用するアクセスプロシージャの一部である。たとえば、未ライセンス周波数帯域中でＷｉ−ＦｉおよびＬＴＥによって使用される、キャリア検知およびリッスンビフォアトーク方法など、他のネットワークアクセスプロシージャも適用される。この意味で、Ｗｉ−Ｆｉは、米国電気電子技術者協会（ＩＥＥＥ）８０２．１１規格に基づくワイヤレスローカルエリアネットワーク（ＷＬＡＮ）製品として規定される。
【０１１１】
次に、２つのＲＡＴ、ＲＡＴ−１およびＲＡＴ−２が利用可能である場合のために適用される、通信ネットワーク１００ａ、１００ｂに対するワイヤレスデバイス１５０のネットワークアクセスのための一実施形態を開示する。この実施形態では、ＲＡＴ−２ネットワークアクセスプロシージャは、ＲＡＴ−１ネットワークアクセスプロシージャよりも著しく高速に実行され得ると仮定される。ワイヤレスデバイス（ＷＤ）と、ＲＡＴ−１を使用するネットワークノード（ＮＮ）と、ＲＡＴ−２を使用するネットワークノード（ＮＮ）との間のネットワークアクセスプロシージャを例示する図３のシグナリング図を参照する。
【０１１２】
Ｓ６０１：ワイヤレスデバイス１５０は、Ｌ２／Ｌ３メッセージおよびユーザデータと組み合わせられることも組み合わせられないこともあるＲＡＴ−２プリアンブルシグネチャを送信することによって、ＲＡＴ−２リソース上でＲＡＴ−２ネットワークアクセスを実施する。
【０１１３】
Ｓ６０２：ワイヤレスデバイス１５０は、ＲＡＴ−１プリアンブルシグネチャを送信することによって、ＲＡＴ−１リソース上でＲＡＴ−１ネットワークアクセスを実施する。
【０１１４】
ワイヤレスデバイス１５０は、ＲＡＴ−２プリアンブルシグネチャとＲＡＴ−１プリアンブルシグネチャとを並列にまたは任意の順序で送り得る。この点において、ステップＳ６０１およびＳ６０２は、ほぼ同じ時間に実施され、少なくとも１つのネットワークアクセス応答が十分良好な品質とともに受信されるまで、２つの異なるネットワークアクセスプロシージャがコンカレントに実行されることを許容することができる。通信ネットワーク１００ａ、１００ｂは、（ＲＡＴ−１ネットワークアクセスプロシージャなど）ネットワークアクセスプロシージャのうちのより低速のものを継続し、最終的に、ＲＡＴ−１接続とＲＡＴ−２接続の両方を並列にセットアップすることを可能にされる。通信ネットワーク１００ａ、１００ｂは、ネットワークアクセスプロシージャ中に、ＲＡＴを切り替えること、すなわち、ＲＡＴ−１を使用するネットワークアクセスからＲＡＴ−２を使用するネットワークアクセスに（またはその逆に）切り替えること、すなわち、ＲＡＴ−１ネットワークアクセスプロシージャから始まるが、ＲＡＴ−２接続が確立されて終わること（またはその逆）を可能にされる。この点において、ＲＡＴ−１およびＲＡＴ−２は、典型的に、異なる周波数および時間リソースを使用することになる。同じ周波数リソースが使用される場合、典型的に、時間リソースは異なり、その逆もまた然りである。ワイヤレスデバイス１５０は、それぞれ、ＲＡＴ−１がネットワークアクセスするために、およびＲＡＴ−２がネットワークアクセスするために、どのリソースが利用可能であるかを理解するために、ブロードキャストされたかまたは記憶された情報を使用する。
【０１１５】
Ｓ６０３：ネットワークノード１４０ｂは、ＲＡＴ−２を使用してネットワークアクセス応答を送信する。このネットワークアクセス応答は、典型的に、ネットワークノード１４０ａからのＲＡＴ−１を使用するネットワークアクセス応答よりも早く送信される（ステップＳ６０６を参照されたい）。ワイヤレスデバイス１５０は、ＲＡＴ−２ネットワークアクセス応答を認識し、ＲＡＴ−２ネットワークアクセスプロシージャを継続する。
【０１１６】
Ｓ６０４：ワイヤレスデバイス１５０は、ネットワークノード１４０ｂにＲＡＴ−２を使用してユーザデータおよび／または制御シグナリングを送信する。ユーザデータおよび／または制御シグナリングは、識別情報などのＲＡＴ−２情報を備える。ネットワークノード１４０ｂは、ワイヤレスデバイス１５０が、ステップＳ６０３において送信されたネットワークアクセス応答に対して応答したことを認識する。
【０１１７】
Ｓ６０５：ネットワークノード１４０ｂは、ＲＡＴ−２を使用して、ワイヤレスデバイス１５０にアップリンク許可またはダウンリンクスケジューリングを送信する。ネットワークノード１４０ｂは、ワイヤレスデバイス１５０に、ＲＡＴ−２アップリンクリソース上で送信するためのさらなる許可を与え得、また、ＲＡＴ−２を使用してワイヤレスデバイス１５０へのさらなるダウンリンクデータをスケジュールし得る。ネットワークノード１４０ｂはまた、ワイヤレスデバイス１５０がＲＡＴ−２ネットワークアクセスプロシージャをアボートするものとすること、およびワイヤレスデバイス１５０が代わりにＲＡＴ−１ネットワークアクセスプロシージャを使用するものとすることを指示し得る。
【０１１８】
Ｓ６０６：ネットワークノード１４０ａは、ＲＡＴ−１を使用してネットワークアクセス応答を送信する。ワイヤレスデバイス１５０がＲＡＴ−２ネットワークアクセスプロシージャをすでに始めている場合（これは、この実施形態ではそうであると仮定される）、この応答は、ワイヤレスデバイス１５０によって無視されるか、または下のステップＳ６０７にあるように、ワイヤレスデバイス１５０がネットワークノード１４０ａに情報を返信することを引き起こすかのいずれかである。
【０１１９】
Ｓ６０７：ワイヤレスデバイス１５０は、ネットワークノード１４０ａにＲＡＴ−１を使用してユーザデータおよび／または制御シグナリングを送信する。ユーザデータおよび／または制御シグナリングは、識別情報などのＲＡＴ−１情報を備える。ネットワークノード１４０ａは、ワイヤレスデバイス１５０が、ステップＳ６０６において送信されたネットワークアクセス応答に対して応答したことを認識する。ユーザデータおよび／または制御シグナリングは、ＲＡＴ−２ネットワークアクセスプロシージャが進行中であること、ＲＡＴ−２ネットワークアクセスプロシージャが失敗したこと、ＲＡＴ−２ネットワークアクセスプロシージャが正常に終わったこと、および／またはＲＡＴ−２無線品質など、ＲＡＴ−２ネットワークアクセスプロシージャに関する情報をも備え得る。
【０１２０】
Ｓ６０８：ネットワークノード１４０ａは、デュアルまたはマルチプルコネクティビティが確立されるべきである場合、ＲＡＴ−１を使用して、ワイヤレスデバイス１５０にアップリンク許可またはダウンリンクスケジューリングを送信する。したがって、実施されたとき、ステップＳ６０８は、ワイヤレスデバイス１５０に、ＲＡＴ−２リソースと並列にＲＡＴ−１リソースをも使用することを許可することになる。
【０１２１】
次に、図１１のシグナリング図を参照して、上で開示した実施形態のうちの少なくともいくつかに基づく、通信ネットワーク１００ａ、１００ｂに対するワイヤレスデバイス１５０のネットワークアクセスのための第１の特定の実施形態を詳細に開示する。
【０１２２】
この第１の特定の実施形態では、ＲＡＴ−１のみを使用するネットワークアクセスが開始され、ＲＡＴ−１とＲＡＴ−２とを使用する応答が送信される。
【０１２３】
Ｓ７０１：ワイヤレスデバイス１５０は、ＲＡＴ−２を使用してネットワークアクセスを開始することを控える。
【０１２４】
Ｓ７０２：ワイヤレスデバイス１５０は、ＲＡＴ−１プリアンブルシグネチャを送ることによって、ＲＡＴ−１を使用してネットワークアクセスを開始する。ネットワークノード１４０ａは、ＲＡＴ−１を使用してネットワークアクセスのための開始を受信すると仮定され、ネットワークアクセスのための開始をネットワークノード１４０ｂに転送する。
【０１２５】
Ｓ７０３：ネットワークノード１４０ｂは、ワイヤレスデバイス１５０にネットワークアクセス応答を送ることによって、ＲＡＴ−２を使用してネットワークアクセスのための開始に対して応答する。
【０１２６】
Ｓ７０４：ワイヤレスデバイス１５０は、ネットワークノード１４０ｂにＲＡＴ−２を使用してデータおよび／または制御シグナリングを送信する。ユーザデータおよび／または制御シグナリングは、識別情報などのＲＡＴ−２情報を備える。ネットワークノード１４０ｂは、それによって、ワイヤレスデバイス１５０が、ステップＳ７０３において送信されたネットワークアクセス応答に対して応答したことを認識する。
【０１２７】
Ｓ７０５：ネットワークノード１４０ｂは、ＲＡＴ−２を使用して、ワイヤレスデバイス１５０にアップリンク許可またはダウンリンクスケジューリングを送信する。ネットワークノード１４０ｂは、ワイヤレスデバイス１５０に、ＲＡＴ−２アップリンクリソース上で送信するためのさらなる許可を与え得、また、ＲＡＴ−２を使用してワイヤレスデバイス１５０へのさらなるダウンリンクデータをスケジュールし得る。ネットワークノード１４０ｂはまた、ワイヤレスデバイス１５０が、ＲＡＴ−１ネットワークアクセスプロシージャを継続し、ＲＡＴ−２ネットワークアクセスプロシージャをアボートするものとすることを指示し得る。
【０１２８】
Ｓ７０６：ネットワークノード１４０ａは、ワイヤレスデバイス１５０にネットワークアクセス応答を送ることによって、ＲＡＴ−１を使用してネットワークアクセスのための開始に対して応答する。ワイヤレスデバイス１５０は、この応答を無視するか、または下のステップＳ７０７にあるように、ネットワークノード１４０ａに情報を返送することができる。
【０１２９】
Ｓ７０７：ワイヤレスデバイス１５０は、ネットワークノード１４０ａにＲＡＴ−１を使用してユーザデータおよび／または制御シグナリングを送信する。ユーザデータおよび／または制御シグナリングは、識別情報などのＲＡＴ−１情報を備える。ネットワークノード１４０ａは、ワイヤレスデバイス１５０が、ステップＳ７０６において送信されたネットワークアクセス応答に対して応答したことを認識する。ユーザデータおよび／または制御シグナリングは、ＲＡＴ−２ネットワークアクセスプロシージャが進行中であること、ＲＡＴ−２ネットワークアクセスプロシージャが失敗したこと、ＲＡＴ−２ネットワークアクセスプロシージャが正常に終わったこと、および／またはＲＡＴ−２無線品質など、ＲＡＴ−２ネットワークアクセスプロシージャに関する情報をも備え得る。
【０１３０】
Ｓ７０８：ネットワークノード１４０ａは、デュアルまたはマルチプルコネクティビティが確立されるべきである場合、ＲＡＴ−１を使用して、ワイヤレスデバイス１５０にアップリンク許可またはダウンリンクスケジューリングを送信する。したがって、実施されたとき、ステップＳ７０８は、ワイヤレスデバイス１５０に、ＲＡＴ−２リソースと並列にＲＡＴ−１リソースをも使用することを許可することになる。
【０１３１】
次に、図１２のシグナリング図を参照して、上で開示した実施形態のうちの少なくともいくつかに基づく、通信ネットワーク１００ａ、１００ｂに対するワイヤレスデバイス１５０のネットワークアクセスのための第２の特定の実施形態を詳細に開示する。
【０１３２】
この第２の特定の実施形態では、ＲＡＴ−１のみを使用するネットワークアクセスが開始され、ＲＡＴ−２のみを使用する応答が送信される。
【０１３３】
Ｓ８０１：ワイヤレスデバイス１５０は、ＲＡＴ−２を使用してネットワークアクセスを開始することを控える。
【０１３４】
Ｓ８０２：ワイヤレスデバイス１５０は、ＲＡＴ−１プリアンブルシグネチャを送ることによって、ＲＡＴ−１を使用してネットワークアクセスを開始する。ネットワークノード１４０ａは、ＲＡＴ−１を使用してネットワークアクセスのための開始を受信すると仮定され、ネットワークアクセスのための開始をネットワークノード１４０ｂに転送する。
【０１３５】
Ｓ８０３：ネットワークノード１４０ｂは、ワイヤレスデバイス１５０にネットワークアクセス応答を送ることによって、ＲＡＴ−２を使用してネットワークアクセスのための開始に対して応答する。
【０１３６】
Ｓ８０４：ワイヤレスデバイス１５０は、ネットワークノード１４０ｂにＲＡＴ−２を使用してデータおよび／または制御シグナリングを送信する。ユーザデータおよび／または制御シグナリングは、識別情報などのＲＡＴ−２情報を備える。ネットワークノード１４０ｂは、それによって、ワイヤレスデバイス１５０が、ステップＳ８０３において送信されたネットワークアクセス応答に対して応答したことを認識する。
【０１３７】
Ｓ８０５：ネットワークノード１４０ｂは、ＲＡＴ−２を使用して、ワイヤレスデバイス１５０にアップリンク許可またはダウンリンクスケジューリングを送信する。ネットワークノード１４０ｂは、ワイヤレスデバイス１５０に、ＲＡＴ−２アップリンクリソース上で送信するためのさらなる許可を与え得、また、ＲＡＴ−２を使用してワイヤレスデバイス１５０へのさらなるダウンリンクデータをスケジュールし得る。ネットワークノード１４０ｂはまた、ワイヤレスデバイス１５０が、ＲＡＴ−１ネットワークアクセスプロシージャを継続し、ＲＡＴ−２ネットワークアクセスプロシージャをアボートするものとすることを指示し得る。
【０１３８】
Ｓ８０６：ネットワークノード１４０ａは、ネットワークアクセスのための開始に対して応答することを控える。
【０１３９】
Ｓ８０７：ワイヤレスデバイス１５０は、ステップＳ８０６において応答が受信されないので、ネットワークノード１４０ａにＲＡＴ−１を使用してユーザデータまたは制御シグナリングを送信しない。
【０１４０】
Ｓ８０８：ネットワークノード１４０ａは、ワイヤレスデバイス１５０にアップリンク許可またはダウンリンクスケジューリングを送信することを控える。
【０１４１】
次に、図１３のシグナリング図を参照して、上で開示した実施形態のうちの少なくともいくつかに基づく、通信ネットワーク１００ａ、１００ｂに対するワイヤレスデバイス１５０のネットワークアクセスのための第３の特定の実施形態を詳細に開示する。
【０１４２】
この第３の特定の実施形態では、ＲＡＴ−２のみを使用するネットワークアクセスが開始され、ＲＡＴ−１とＲＡＴ−２とを使用する応答が送信される。
【０１４３】
Ｓ９０１：ワイヤレスデバイス１５０は、ＲＡＴ−２プリアンブルシグネチャを送ることによって、ＲＡＴ−２を使用してネットワークアクセスを開始する。ネットワークノード１４０ｂは、ＲＡＴ−２を使用してネットワークアクセスのための開始を受信すると仮定され、ネットワークアクセスのための開始をネットワークノード１４０ａに転送する。
【０１４４】
Ｓ９０２：ワイヤレスデバイス１５０は、ＲＡＴ−１を使用してネットワークアクセスを開始することを控える。
【０１４５】
Ｓ９０３：ネットワークノード１４０ｂは、ワイヤレスデバイス１５０にネットワークアクセス応答を送ることによって、ＲＡＴ−２を使用してネットワークアクセスのための開始に対して応答する。
【０１４６】
Ｓ９０４：ワイヤレスデバイス１５０は、ネットワークノード１４０ｂにＲＡＴ−２を使用してデータおよび／または制御シグナリングを送信する。ユーザデータおよび／または制御シグナリングは、識別情報などのＲＡＴ−２情報を備える。ネットワークノード１４０ｂは、それによって、ワイヤレスデバイス１５０が、ステップＳ９０３において送信されたネットワークアクセス応答に対して応答したことを認識する。
【０１４７】
Ｓ９０５：ネットワークノード１４０ｂは、ＲＡＴ−２を使用して、ワイヤレスデバイス１５０にアップリンク許可またはダウンリンクスケジューリングを送信する。ネットワークノード１４０ｂは、ワイヤレスデバイス１５０に、ＲＡＴ−２アップリンクリソース上で送信するためのさらなる許可を与え得、また、ＲＡＴ−２を使用してワイヤレスデバイス１５０へのさらなるダウンリンクデータをスケジュールし得る。ネットワークノード１４０ｂはまた、ワイヤレスデバイス１５０が、ＲＡＴ−１ネットワークアクセスプロシージャを継続し、ＲＡＴ−２ネットワークアクセスプロシージャをアボートするものとすることを指示し得る。
【０１４８】
Ｓ９０６：ネットワークノード１４０ａは、ワイヤレスデバイス１５０にネットワークアクセス応答を送ることによって、ＲＡＴ−１を使用してネットワークアクセスのための開始に対して応答する。ワイヤレスデバイス１５０は、この応答を無視するか、または下のステップＳ９０７にあるように、ネットワークノード１４０ａに情報を返送することができる。
【０１４９】
Ｓ９０７：ワイヤレスデバイス１５０は、ネットワークノード１４０ａにＲＡＴ−１を使用してユーザデータおよび／または制御シグナリングを送信する。ユーザデータおよび／または制御シグナリングは、識別情報などのＲＡＴ−１情報を備える。ネットワークノード１４０ａは、ワイヤレスデバイス１５０が、ステップＳ９０６において送信されたネットワークアクセス応答に対して応答したことを認識する。ユーザデータおよび／または制御シグナリングは、ＲＡＴ−２ネットワークアクセスプロシージャが進行中であること、ＲＡＴ−２ネットワークアクセスプロシージャが失敗したこと、ＲＡＴ−２ネットワークアクセスプロシージャが正常に終わったこと、および／またはＲＡＴ−２無線品質など、ＲＡＴ−２ネットワークアクセスプロシージャに関する情報をも備え得る。
【０１５０】
Ｓ９０８：ネットワークノード１４０ａは、デュアルまたはマルチプルコネクティビティが確立されるべきである場合、ＲＡＴ−１を使用して、ワイヤレスデバイス１５０にアップリンク許可またはダウンリンクスケジューリングを送信する。したがって、実施されたとき、ステップＳ９０８は、ワイヤレスデバイス１５０に、ＲＡＴ−２リソースと並列にＲＡＴ−１リソースをも使用することを許可することになる。
【０１５１】
次に、図１４のシグナリング図を参照して、上で開示した実施形態のうちの少なくともいくつかに基づく、通信ネットワーク１００ａ、１００ｂに対するワイヤレスデバイス１５０のネットワークアクセスのための第４の特定の実施形態を詳細に開示する。
【０１５２】
この第４の特定の実施形態では、ＲＡＴ−２のみを使用するネットワークアクセスが開始され、ＲＡＴ−１のみを使用する応答が送信される。
【０１５３】
Ｓ１００１：ワイヤレスデバイス１５０は、ＲＡＴ−２プリアンブルシグネチャを送ることによって、ＲＡＴ−２を使用してネットワークアクセスを開始する。ネットワークノード１４０ｂは、ＲＡＴ−２を使用してネットワークアクセスのための開始を受信すると仮定され、ネットワークアクセスのための開始をネットワークノード１４０ａに転送する。
【０１５４】
Ｓ１００２：ワイヤレスデバイス１５０は、ＲＡＴ−１を使用してネットワークアクセスを開始することを控える。
【０１５５】
Ｓ１００３：ネットワークノード１４０ｂは、ネットワークアクセスのための開始に対して応答することを控える。
【０１５６】
Ｓ１００４：ワイヤレスデバイス１５０は、ステップＳ１００３において応答が受信されないので、ネットワークノード１４０ｂにＲＡＴ−２を使用してデータおよび／または制御シグナリングを送信しない。
【０１５７】
Ｓ１００５：ネットワークノード１４０ｂは、ワイヤレスデバイス１５０にアップリンク許可およびダウンリンクスケジューリングを送信することを控える。
【０１５８】
Ｓ１００６：ネットワークノード１４０ａは、ワイヤレスデバイス１５０にネットワークアクセス応答を送ることによって、ＲＡＴ−１を使用してネットワークアクセスのための開始に対して応答する。ワイヤレスデバイス１５０は、この応答を無視するか、または下のステップＳ１００７にあるように、ネットワークノード１４０ａに情報を返送することができる。
【０１５９】
Ｓ１００７：ワイヤレスデバイス１５０は、ネットワークノード１４０ａにＲＡＴ−１を使用してユーザデータおよび／または制御シグナリングを送信する。ユーザデータおよび／または制御シグナリングは、識別情報などのＲＡＴ−１情報を備える。ネットワークノード１４０ａは、ワイヤレスデバイス１５０が、ステップＳ１００６において送信されたネットワークアクセス応答に対して応答したことを認識する。ユーザデータおよび／または制御シグナリングは、ＲＡＴ−２ネットワークアクセスプロシージャが進行中であること、ＲＡＴ−２ネットワークアクセスプロシージャが失敗したこと、ＲＡＴ−２ネットワークアクセスプロシージャが正常に終わったこと、および／またはＲＡＴ−２無線品質など、ＲＡＴ−２ネットワークアクセスプロシージャに関する情報をも備え得る。
【０１６０】
Ｓ１００８：ネットワークノード１４０ａは、ＲＡＴ−１を使用して、ワイヤレスデバイス１５０にアップリンク許可またはダウンリンクスケジューリングを送信する。したがって、ステップＳ１００８は、ワイヤレスデバイス１５０に、ＲＡＴ−１リソースを使用することを許可することになる。
【０１６１】
図１５ａは、いくつかの機能ユニットに関して、一実施形態によるワイヤレスデバイス１５０のコンポーネントを概略的に例示する。処理回路２１０は、たとえば、ストレージ媒体２３０の形態で（図１７にあるように）コンピュータプログラム製品４１０ａに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路２１０はさらに、少なくとも１つの特定用途向け集積回路（ＡＳＩＣ）、またはフィールドプログラマブルゲートアレイ（ＦＰＧＡ）として提供されてもよい。
【０１６２】
とりわけ、処理回路２１０は、上で開示したように、動作のセットまたはステップＳ１０２〜Ｓ１１６をワイヤレスデバイス１５０に実施させるように設定される。たとえば、ストレージ媒体２３０は、動作のセットを記憶することができ、処理回路２１０は、動作のセットをワイヤレスデバイス１５０に実施させるために、ストレージ媒体２３０から動作のセットを取り出すように設定されてよい。動作のセットは、実行可能な命令のセットとして提供されてよい。こうして処理回路２１０は、それによって、本明細書で開示する方法を実行するように構成される。
【０１６３】
ストレージ媒体２３０はまた、たとえば、磁気メモリ、光学メモリ、ソリッドステートメモリ、さらにはリモートに搭載されるメモリのうちのいずれか単独の１つまたは組合せであってよい、永続的なストレージを備えることができる。
【０１６４】
ワイヤレスデバイス１５０は、少なくともネットワークノード１４０ａ、１４０ｂとの通信のための、通信インターフェース２２０をさらに備えることができる。そうしたことから、通信インターフェース２２０は、アナログおよびデジタルコンポーネントを備える１つまたは複数の送信機および受信機と、好適な数の、ワイヤレス通信のためのアンテナとワイヤライン通信のためのポートとを備えることができる。
【０１６５】
処理回路２１０は、たとえば、データおよび制御信号を通信インターフェース２２０およびストレージ媒体２３０に送ることによって、データおよび報告を通信インターフェース２２０から受信することによって、ならびにデータおよび命令をストレージ媒体２３０から取り出すことによって、ワイヤレスデバイス１５０の全般の動作を制御する。ワイヤレスデバイス１５０の他のコンポーネント、ならびに関係する機能性は、本明細書で提示する概念を曖昧にしないように省略する。
【０１６６】
図１５ｂは、いくつかの機能モジュールに関して、一実施形態によるワイヤレスデバイス１５０のコンポーネントを概略的に例示する。図１５ｂのワイヤレスデバイス１５０は、いくつかの機能モジュール、すなわち、ステップＳ１０２を実施するように設定された開始モジュール２１０ａと、ステップＳ１０４を実施するように設定された準備モジュール２１０ｂとを備える。図１５ｂのワイヤレスデバイス１５０はさらに、ステップＳ１０６を実施するように設定された受信モジュール２１０ｃ、ステップＳ１０８を実施するように設定された受信モジュール２１０ｄ、ステップＳ１１０を実施するように設定された継続モジュール２１０ｅ、ステップＳ１１２を実施するように設定された継続モジュール２１０ｆ、ステップＳ１１４を実施するように設定された切替えモジュール２１０ｇ、およびステップＳ１１６を実施するように設定された応答モジュール２１０ｈのうちのいずれかなど、いくつかの随意の機能モジュールを備えることができる。
【０１６７】
一般論として、各機能モジュール２１０ａ〜２１０ｈは、ハードウェアまたはソフトウェアで実装されてよい。好ましくは、１つもしくは複数の、またはすべての機能モジュール２１０ａ〜２１０ｈが、処理回路２１０によって実装されてよく、場合により機能ユニット２２０および／または２３０と協力して実装されてよい。処理回路２１０はこうして、機能モジュール２１０ａ〜２１０ｈによって提供される命令をストレージ媒体２３０からフェッチし、これらの命令を実行するように構成されてよく、それによって、以下で開示するように任意のステップを実施する。
【０１６８】
図１６ａは、いくつかの機能ユニットに関して、一実施形態によるネットワークノード１４０ａ、１４０ｂのコンポーネントを概略的に例示する。処理回路３１０は、たとえば、ストレージ媒体３３０の形態で（図１７にあるように）コンピュータプログラム製品４１０ｂ、４１０ｃに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）、またはフィールドプログラマブルゲートアレイ（ＦＰＧＡ）として提供されてもよい。
【０１６９】
とりわけ、処理回路３１０は、上で開示したように、動作のセットまたはステップＳ２０２〜Ｓ２１２、Ｓ３０２〜Ｓ３０８、Ｓ４０２〜Ｓ４０４をネットワークノード１４０ａ、１４０ｂに実施させるように設定される。たとえば、ストレージ媒体３３０は、動作のセットを記憶することができ、処理回路３１０は、動作のセットをネットワークノード１４０ａ、１４０ｂに実施させるために、ストレージ媒体３３０から動作のセットを取り出すように設定されてよい。動作のセットは、実行可能な命令のセットとして提供されてよい。こうして処理回路３１０は、それによって、本明細書で開示する方法を実行するように構成される。
【０１７０】
ストレージ媒体３３０はまた、たとえば、磁気メモリ、光学メモリ、ソリッドステートメモリ、さらにはリモートに搭載されるメモリのうちのいずれか単独の１つまたは組合せであってよい、永続的なストレージを備えることができる。
【０１７１】
ネットワークノード１４０ａ、１４０ｂは、少なくともワイヤレスデバイス１５０および別のネットワークノード１４０ａ、１４０ｂとの通信のための、通信インターフェース３２０をさらに備えることができる。そうしたことから、通信インターフェース３２０は、アナログおよびデジタルコンポーネントを備える１つまたは複数の送信機および受信機と、好適な数の、ワイヤレス通信のためのアンテナとワイヤライン通信のためのポートとを備えることができる。
【０１７２】
処理回路３１０は、たとえば、データおよび制御信号を通信インターフェース３２０およびストレージ媒体３３０に送ることによって、データおよび報告を通信インターフェース３２０から受信することによって、ならびにデータおよび命令をストレージ媒体３３０から取り出すことによって、ネットワークノード１４０ａ、１４０ｂの全般の動作を制御する。ネットワークノード１４０ａ、１４０ｂの他のコンポーネント、ならびに関係する機能性は、本明細書で提示する概念を曖昧にしないように省略する。
【０１７３】
図１６ｂは、いくつかの機能モジュールに関して、一実施形態によるネットワークノード１４０ａ、１４０ｂのコンポーネントを概略的に例示する。図１６ｂのネットワークノード１４０ａ、１４０ｂは、いくつかの機能モジュール、すなわち、ステップＳ２０２、Ｓ４０２を実施するように設定された受信モジュール３１０ａと、ステップＳ２０４を実施するように設定された転送モジュール３１０ｂと、ステップＳ３０２を実施するように設定された受信モジュール３１０ｇと、ステップＳ３０４、Ｓ４０４を実施するように設定された応答モジュール３１０ｈとを備える。図１６ｂのネットワークノード１４０ａ、１４０ｂはさらに、ステップＳ２０６を実施するように設定された応答モジュール３１０ｃ、ステップＳ２０８を実施するように設定された受信モジュール３１０ｄ、ステップＳ２１０を実施するように設定された取得モジュール３１０ｅ、ステップＳ２１２を実施するように設定された転送モジュール３１０ｆ、ステップＳ３０６を実施するように設定された受信モジュール３１０ｋ、およびステップＳ３０８を実施するように設定された決定モジュール３１０ｌのうちのいずれかなど、いくつかの随意の機能モジュールを備えることができる。
【０１７４】
一般論として、各機能モジュール３１０ａ〜３１０ｌは、ハードウェアまたはソフトウェアで実装されてよい。好ましくは、１つもしくは複数の、またはすべての機能モジュール３１０ａ〜３１０ｌが、処理回路３１０によって実装されてよく、場合により機能ユニット３２０および／または３３０と協力して実装されてよい。処理回路３１０はこうして、機能モジュール３１０ａ〜３１０ｌによって提供される命令をストレージ媒体３３０からフェッチし、これらの命令を実行するように構成されてよく、それによって、以下で開示するように任意のステップを実施する。
【０１７５】
各ネットワークノード１４０ａ、１４０ｂは、スタンドアロンデバイスとして、または少なくとも１つのさらなるデバイスの一部として提供されてよい。追加として、上述のように、ネットワークノード１４０ａ、１４０ｂは論理ノードとみなされ得る。たとえば、ネットワークノード１４０ａ、１４０ｂは、無線アクセスネットワーク１１０の無線アクセスネットワークノード中にコロケートされ、提供されるか、または無線アクセスネットワーク１１０の別個のそのような無線アクセスネットワークノード中に分離され、提供されてよい。代替として、ネットワークノード１４０ａ、１４０ｂの各々の機能性が、少なくとも２つのデバイスまたはノード間で分散されてもよい。
【０１７６】
こうして、ネットワークノード１４０ａ、１４０ｂによって実施される命令の第１の部分が第１のデバイスにおいて実行されてよく、ネットワークノード１４０ａ、１４０ｂによって実施される命令の第２の部分が第２のデバイスにおいて実行されてよく、本明細書で開示する実施形態は、ネットワークノード１４０ａ、１４０ｂによって実施される命令が実行され得るいかなる特定の数のデバイスにも限定されない。したがって、本明細書で開示する実施形態による方法は、クラウドコンピュータによる環境に常住するネットワークノード１４０ａ、１４０ｂによって実施されることに好適である。そのため、図１６ａには単一の処理回路３１０が例示されているが、処理回路３１０は、複数のデバイスまたはノードの間で分散されてもよい。同じことは、図１６ｂの機能モジュール３１０ａ〜３１０ｌ、および図１７のコンピュータプログラム４２０ｂ、４２０ｃ（下を参照されたい）にも適用される。
【０１７７】
図１７は、コンピュータ可読手段４３０を備えるコンピュータプログラム製品４１０ａ、４１０ｂ、４１０ｃの一例を示す。このコンピュータ可読手段４３０上に、コンピュータプログラム４２０ａが記憶され得、そのコンピュータプログラム４２０ａは、本明細書で説明する実施形態による方法を、処理回路２１０、ならびに通信インターフェース２２０およびストレージ媒体２３０など、処理回路２１０に動作可能に結合されたエンティティおよびデバイスに実行させることができる。コンピュータプログラム４２０ａおよび／またはコンピュータプログラム製品４１０ａは、こうして、本明細書で開示する、ワイヤレスデバイス１５０の任意のステップを実施するための手段を提供することができる。このコンピュータ可読手段４３０上に、コンピュータプログラム４２０ｂ、４２０ｃが記憶され得、そのコンピュータプログラム４２０ｂ、４２０ｃは、本明細書で説明する実施形態による方法を、処理回路３１０、ならびに通信インターフェース３２０およびストレージ媒体３３０など、処理回路３１０に動作可能に結合されたエンティティおよびデバイスに実行させることができる。コンピュータプログラム４２０ｂ、４２０ｃおよび／またはコンピュータプログラム製品４１０ｂ、４１０ｃは、こうして、本明細書で開示する、ネットワークノード１４０ａ、１４０ｂの任意のステップを実施するための手段を提供することができる。
【０１７８】
図１７の例では、コンピュータプログラム製品４１０ａ、４１０ｂ、４１０ｃは、ＣＤ（コンパクトディスク）もしくはＤＶＤ（デジタル多用途ディスク）、またはブルーレイディスクなどの光学ディスクとして例示されている。コンピュータプログラム製品４１０ａ、４１０ｂ、４１０ｃはまた、ランダムアクセスメモリ（ＲＡＭ）、読み出し専用メモリ（ＲＯＭ）、消去可能なプログラマブル読み出し専用メモリ（ＥＰＲＯＭ）、または電気的に消去可能なプログラマブル読み出し専用メモリ（ＥＥＰＲＯＭ）などのメモリとして、より詳細には、ＵＳＢ（ユニバーサルシリアルバス）メモリ、またはコンパクトフラッシュメモリなどのフラッシュメモリなど、外部メモリにおけるデバイスの不揮発性ストレージ媒体として具現化され得る。こうして、コンピュータプログラム４２０ａ、４２０ｂ、４２０ｃは、ここでは、図示された光学ディスク上のトラックとして概略的に示されているが、コンピュータプログラム４２０ａ、４２０ｂ、４２０ｃは、コンピュータプログラム製品４１０ａ、４１０ｂ、４１０ｃに好適な任意のやり方で記憶されてよい。
【０１７９】
要約すれば、通信ネットワーク１００ａ、１００ｂに対するワイヤレスデバイス１５０のネットワークアクセスのための本明細書で開示する機構は、たとえば、使用されている異なるＲＡＴにより、固有の異なる応答時間を有する複数のネットワークアクセスプロシージャが、ワイヤレスデバイス１５０によって開始され、コンカレントに実行されることを許容する。通信ネットワーク１００ａ、１００ｂに対するワイヤレスデバイス１５０のネットワークアクセスのための本明細書で開示する機構は、ワイヤレスデバイス１５０（またはネットワークノード１４０ａ、１４０ｂのうちの少なくとも１つ）が、ネットワークアクセスプロシージャ中にＲＡＴを選択して応答し、さらには変更することを許容する。たとえば、ワイヤレスデバイス１５０は、最速の応答がそこから受信されたネットワークノード１４０ａ、１４０ｂに対して応答し、遅延なしにそのネットワークノードのＲＡＴに対する接続を確立することができる。通信ネットワーク１００ａ、１００ｂに対するワイヤレスデバイス１５０のネットワークアクセスのための本明細書で開示する機構はまた、より遅いＲＡＴを使用するネットワークアクセスプロシージャが最終的に完了されることを許容し、したがって、複数の接続が並列にセットアップされることを許容する。継続するためにワイヤレスデバイス１５０によって選択される（１つまたは複数の）ネットワークアクセスプロシージャは、受信される（１つまたは複数の）応答の順序、ＲＡＴの優先度、および／またはネットワークアクセス応答信号の品質に基づき得る。
【０１８０】
本発明の概念を、主に数個の実施形態を参照して上で説明してきた。しかしながら、当業者によって直ちに認識されるように、上で開示した実施形態以外の実施形態も、添付の特許請求の範囲によって規定される本発明の概念の範囲内で等しく可能である。たとえば、ＲＡＴ−１を第１の無線アクセス技術の類義語として使用し、ＲＡＴ−２を第２の無線アクセス技術の類義語として使用してきたが、本明細書で開示した実施形態はそのような関係に限定されない。たとえば、上述のように、ＲＡＴ−１またはＲＡＴ−２のいずれかとして使用され得る無線アクセス技術の一例はＬＴＥ無線アクセスであり、したがって、ＬＴＥ無線アクセスがＲＡＴ−１として使用される場合、別の無線アクセス技術がＲＡＴ−２として使用され、その逆もまた然りである。
【図１】
2019505139.tif 000003
【図２】
2019505139.tif 000004
【図３】
2019505139.tif 000005
【図４】
2019505139.tif 000006
【図５】
2019505139.tif 000007
【図６】
2019505139.tif 000008
【図７】
2019505139.tif 000009
【図８】
2019505139.tif 000010
【図９】
2019505139.tif 000011
【図１０】
2019505139.tif 000012
【図１１】
2019505139.tif 000013
【図１２】
2019505139.tif 000014
【図１３】
2019505139.tif 000015
【図１４】
2019505139.tif 000016
【図１５ａ】
2019505139.tif 000017
【図１５ｂ】
2019505139.tif 000018
【図１６ａ】
2019505139.tif 000019
【図１６ｂ】
2019505139.tif 000020
【図１７】
2019505139.tif 000021
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
通信ネットワーク（１００ａ、１００ｂ）に対するワイヤレスデバイス（１５０）のネットワークアクセスのための方法であって、前記方法が前記ワイヤレスデバイス（１５０）によって実施され、前記方法が、
前記通信ネットワーク（１００ａ、１００ｂ）に対して、第１の無線アクセス技術（ＲＡＴ−１）を使用してネットワークアクセスプリアンブルを送信することによってネットワークアクセスを開始すること（Ｓ１０２）と、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスプリアンブルに対する少なくとも応答を受信するために準備すること（Ｓ１０４）と
を備える、方法。
【請求項２】
前記第１の無線アクセス技術（ＲＡＴ−１）を使用して前記通信ネットワーク（１００ａ、１００ｂ）からの前記ネットワークアクセスプリアンブルに対する前記応答を受信するために準備すること（Ｓ１０４）
をさらに備える、請求項１に記載の方法。
【請求項３】
前記第２の無線アクセス技術（ＲＡＴ−２）を使用して前記ネットワークノード（１４０ｂ）から前記ネットワークアクセスに対する前記応答を受信すること（Ｓ１０６）
をさらに備える、請求項１に記載の方法。
【請求項４】
前記第１の無線アクセス技術（ＲＡＴ−１）を使用して前記通信ネットワーク（１００ａ、１００ｂ）中のネットワークノード（１４０ａ）から前記ネットワークアクセスに対する前記応答を受信すること（Ｓ１０８）
をさらに備える、請求項２に記載の方法。
【請求項５】
前記第１の無線アクセス技術（ＲＡＴ−１）と前記第２の無線アクセス技術（ＲＡＴ−２）の両方を使用して前記ネットワークアクセスを継続すること（Ｓ１１０）
をさらに備える、請求項２から４のいずれか一項に記載の方法。
【請求項６】
前記第１の無線アクセス技術（ＲＡＴ−１）および前記第２の無線アクセス技術（ＲＡＴ−２）のうちの一方のみを使用して前記ネットワークアクセスを継続すること（Ｓ１１２）
をさらに備える、請求項３又は４に記載の方法。
【請求項７】
前記第１の無線アクセス技術（ＲＡＴ−１）および前記第２の無線アクセス技術（ＲＡＴ−２）のうちのどちらと前記ネットワークアクセスを継続すべきかが、前記応答が受信される順序、前記無線アクセス技術の相互優先度、および受信された前記応答中の受信信号品質のうちの少なくとも１つに基づく、請求項６に記載の方法。
【請求項８】
通信ネットワーク（１００ａ、１００ｂ）に対するワイヤレスデバイス（１５０）のネットワークアクセスのための方法であって、前記方法が、第１の無線アクセス技術（ＲＡＴ−１）を使用するネットワークノード（１４０ａ）によって実施され、前記方法は、
前記第１の無線アクセス技術（ＲＡＴ−１）を使用して前記ワイヤレスデバイス（１５０）からの前記通信ネットワーク（１００ａ、１００ｂ）に対するネットワークアクセスのための開始としてサーブするネットワークアクセスプリアンブルを受信すること（Ｓ２０２）と、
ネットワークアクセスのための前記開始を別のネットワークノード（１４０ｂ）に転送すること（Ｓ２０４）であって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送すること（Ｓ２０４）と
を備える、方法。
【請求項９】
ネットワークアクセスのための前記開始が、前記別のネットワークノードに転送されているときに前記ネットワークアクセスプリアンブルを備える、請求項８に記載の方法。
【請求項１０】
前記ワイヤレスデバイス（１５０）からの前記ネットワークアクセスプリアンブルに対して、前記第１の無線アクセス技術（ＲＡＴ−１）を使用して、応答すること（Ｓ２０６）であって、それによって、前記通信ネットワーク（１００ａ、１００ｂ）に対する前記ワイヤレスデバイス（１５０）のネットワークアクセスを可能にする、応答すること（Ｓ２０６）
をさらに備える、請求項８又は９に記載の方法。
【請求項１１】
通信ネットワーク（１００ａ、１００ｂ）に対するワイヤレスデバイス（１５０）のネットワークアクセスのための方法であって、前記方法が、第２の無線アクセス技術（ＲＡＴ−２）を使用するネットワークノード（１４０ｂ）によって実施され、前記方法が、
ワイヤレスデバイス（１５０）からの前記通信ネットワーク（１００ａ、１００ｂ）に対するネットワークアクセスのための開始を送信するために前記第２の無線アクセス技術（ＲＡＴ−２）とは異なる第１の無線アクセス技術（ＲＡＴ−１）を使用してネットワークアクセスのための前記開始をネットワークアクセスプリアンブルの形態で別のネットワークノード（１４０ａ）から受信すること（Ｓ３０２）と、
前記ワイヤレスデバイス（１５０）に、前記第２の無線アクセス技術（ＲＡＴ−２）を使用して、ネットワークアクセスのための前記開始に対して応答すること（Ｓ３０４）であって、それによって、前記通信ネットワーク（１００ａ、１００ｂ）に対する前記ワイヤレスデバイス（１５０）のネットワークアクセスを可能にする、応答すること（Ｓ３０４）と
を備える、方法。
【請求項１２】
通信ネットワーク（１００ａ、１００ｂ）に対するワイヤレスデバイス（１５０）のネットワークアクセスのための方法であって、前記方法が、
前記通信ネットワーク（１００ａ、１００ｂ）中の第１のネットワークノード（１４０ａ）によって、第１の無線アクセス技術（ＲＡＴ−１）を使用して、前記ワイヤレスデバイス（１５０）からの前記通信ネットワーク（１００ａ、１００ｂ）に対するネットワークアクセスのための開始としてサーブするネットワークアクセスプリアンブルを受信すること（Ｓ４０２）と、
前記通信ネットワーク（１００ａ、１００ｂ）中の第２のネットワークノード（１４０ｂ）によって、前記第１の無線アクセス技術（ＲＡＴ−１）とは異なる第２の無線アクセス技術（ＲＡＴ−２）を使用して、前記ワイヤレスデバイス（１５０）からの前記ネットワークアクセスプリアンブルに対して応答すること（Ｓ４０４）であって、それによって、前記通信ネットワーク（１００ａ、１００ｂ）に対する前記ワイヤレスデバイス（１５０）のネットワークアクセスを可能にする、応答すること（Ｓ４０４）と
を備える、方法。
【請求項１３】
ワイヤレスデバイス（１５０）であって、通信ネットワーク（１００ａ、１００ｂ）に対する前記ワイヤレスデバイス（１５０）のネットワークアクセスのためのものであり、前記ワイヤレスデバイス（１５０）が、
前記通信ネットワーク（１００ａ、１００ｂ）に対して、第１の無線アクセス技術（ＲＡＴ−１）を使用してネットワークアクセスプリアンブルを送信することによってネットワークアクセスを開始するように設定された開始モジュール（２１０ａ）と、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスプリアンブルに対する少なくとも応答を受信するために準備するように設定された準備モジュール（２１０ｂ）と
を備える、ワイヤレスデバイス（１５０）。
【請求項１４】
通信ネットワーク（１００ａ、１００ｂ）に対するワイヤレスデバイス（１５０）のネットワークアクセスのためのネットワークノード（１４０ａ）であって、前記ネットワークノード（１４０ａ）は、
第１の無線アクセス技術（ＲＡＴ−１）を使用してワイヤレスデバイス（１５０）からの前記通信ネットワーク（１００ａ、１００ｂ）に対するネットワークアクセスのための開始としてサーブするネットワークアクセスプリアンブルを受信するように設定された受信モジュール（３１０ａ）と、
ネットワークアクセスのための前記開始を別のネットワークノード（１４０ｂ）に転送するように設定された転送モジュール（３１０ｂ）であって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送モジュール（３１０ｂ）と
を備える、ネットワークノード（１４０ａ）。
【請求項１５】
通信ネットワーク（１００ａ、１００ｂ）に対するワイヤレスデバイス（１５０）のネットワークアクセスのためのネットワークノード（１４０ｂ）であって、前記ネットワークノード（１４０ｂ）が、
ワイヤレスデバイス（１５０）からの前記通信ネットワーク（１００ａ、１００ｂ）に対するネットワークアクセスのための開始をネットワークアクセスプリアンブルの形態で送信するために第２の無線アクセス技術（ＲＡＴ−２）とは異なる第１の無線アクセス技術（ＲＡＴ−１）を使用してネットワークアクセスのための前記開始を別のネットワークノード（１４０ａ）から受信するように設定された受信モジュール（３１０ｇ）と、
応答モジュール（３１０ｈ）であって、前記ワイヤレスデバイス（１５０）に、前記第２の無線アクセス技術（ＲＡＴ−２）を使用して、ネットワークアクセスのための前記開始に対して応答することであって、それによって、前記通信ネットワーク（１００ａ、１００ｂ）に対する前記ワイヤレスデバイス（１５０）のネットワークアクセスを可能にするように設定された、応答モジュール（３１０ｈ）と
を備える、ネットワークノード（１４０ｂ）。
【請求項１６】
通信ネットワーク（１００ａ、１００ｂ）に対するワイヤレスデバイス（１５０）のネットワークアクセスのためのコンピュータプログラム（４２０ａ）であって、前記コンピュータプログラムがコンピュータコードを備え、前記コンピュータコードが、前記ワイヤレスデバイス（１５０）の処理回路（２１０）上で起動するとき、
前記通信ネットワーク（１００ａ、１００ｂ）に対して、第１の無線アクセス技術（ＲＡＴ−１）を使用してネットワークアクセスプリアンブルを送信することによってネットワークアクセスを開始すること（Ｓ１０２）と、
前記第１の無線アクセス技術（ＲＡＴ−１）とは異なる少なくとも第２の無線アクセス技術（ＲＡＴ−２）を使用して前記通信ネットワーク（１００ａ、１００ｂ）中のネットワークノード（１４０ｂ）から前記ネットワークアクセスプリアンブルに対する少なくとも応答を受信するために準備すること（Ｓ１０４）と
を前記ワイヤレスデバイス（１５０）に行わせる、コンピュータプログラム（４２０ａ）。
【請求項１７】
通信ネットワーク（１００ａ、１００ｂ）に対するワイヤレスデバイス（１５０）のネットワークアクセスのためのコンピュータプログラム（４２０ｂ）であって、前記コンピュータプログラムがコンピュータコードを備え、前記コンピュータコードは、ネットワークノード（１４０ａ）の処理回路（３１０）上で起動するとき、
第１の無線アクセス技術（ＲＡＴ−１）を使用してワイヤレスデバイス（１５０）からの前記通信ネットワーク（１００ａ、１００ｂ）に対するネットワークアクセスのための開始としてサーブするネットワークアクセスプリアンブルを受信すること（Ｓ２０２）と、
ネットワークアクセスのための前記開始を別のネットワークノード（１４０ｂ）に転送すること（Ｓ２０４）であって、前記別のネットワークノード（１４０ｂ）が、前記ワイヤレスデバイス（１５０）との通信のために前記第１の無線アクセス技術（ＲＡＴ−１）とは異なる第２の無線アクセス技術（ＲＡＴ−２）を使用する、転送すること（Ｓ２０４）と
を前記ネットワークノード（１４０ａ）に行わせる、コンピュータプログラム（４２０ｂ）。
【請求項１８】
通信ネットワーク（１００ａ、１００ｂ）に対するワイヤレスデバイス（１５０）のネットワークアクセスのためのコンピュータプログラム（４２０ｃ）であって、前記コンピュータプログラムがコンピュータコードを備え、前記コンピュータコードが、ネットワークノード（１４０ｂ）の処理回路（３１０）上で起動するとき、
ワイヤレスデバイス（１５０）からの前記通信ネットワーク（１００ａ、１００ｂ）に対するネットワークアクセスのための開始をネットワークアクセスプリアンブルの形態で送信するために第２の無線アクセス技術（ＲＡＴ−２）とは異なる第１の無線アクセス技術（ＲＡＴ−１）を使用してネットワークアクセスのための前記開始を別のネットワークノード（１４０ａ）から受信すること（Ｓ３０２）と、
前記ワイヤレスデバイス（１５０）に、前記第２の無線アクセス技術（ＲＡＴ−２）を使用して、ネットワークアクセスのための前記開始に対して応答すること（Ｓ３０４）であって、それによって、前記通信ネットワーク（１００ａ、１００ｂ）に対する前記ワイヤレスデバイス（１５０）のネットワークアクセスを可能にする、応答すること（Ｓ３０４）と
を前記ネットワークノード（１４０ｂ）に行わせる、コンピュータプログラム（４２０ｃ）。
【国際調査報告】
2019505139.tif 000022
2019505139.tif 000023
2019505139.tif 000024